(57)【要約】【課題】ディスクを確実に搬送可能なディスク装置を提供する。【解決手段】ディスク装置１００は、駆動力を発生する駆動モータ４１と、光ディスク１を搬送するローラ５１３と、光ディスク１を保持するターンテーブル２３を備えたディスク処理部２０と、ディスク処理部２０を光ディスク１に対して進退させる第一シフトカム７１と、駆動モータ４１の駆動力をローラ５１３および第一シフトカム７１への伝達状態を切り替えるとともに、光ディスク１の搬入終端縁が挿排口１４より背面１０Ｄ側に搬入された状態で駆動モーら４１の駆動力を第一シフトカム７１に伝達する状態に切り替える駆動伝達ギア群４２と、を具備した。【選択図】図１
2008140511.tif 000002
【特許請求の範囲】
【請求項１】
ディスク状の記録媒体を挿排する挿排口を備えた筐体と、
前記筐体内に設けられるとともに、駆動力を発生する駆動手段と、
前記駆動手段からの駆動力により駆動されるとともに、前記記録媒体を搬送する搬送手段と、
前記筐体内に設けられるとともに、前記搬送手段により前記筐体内に搬入された前記記録媒体を、前記記録媒体に記録された情報を処理可能な状態に保持する保持手段と、
前記筐体内に設けられて、前記駆動手段からの駆動力により駆動されて前記保持手段を前記記録媒体に対して進退させるカム部材と、
前記筐体内に設けられて、前記搬送手段および前記カム部材への駆動力の伝達状態を切り替えるとともに、前記記録媒体の搬入方向の終端縁が少なくとも前記挿排口よりも筐体内に搬入された状態で、前記カム部材に駆動力を伝達する状態に前記伝達状態を切り替える駆動伝達切替手段と、
を具備したことを特徴としたディスク搬送装置。
【請求項２】
請求項１に記載のディスク搬送装置であって、
前記駆動伝達切替手段は、前記カム部材に駆動力を伝達するカム駆動伝達ギアを備え、
前記カム部材は、前記記録媒体の搬入状態に応じて前記カム駆動伝達ギアに向かって移動可能に設けられるとともに、前記カム駆動伝達ギアに係合可能なラックを備え、
前記ラックおよび前記カム駆動伝達ギアの間には、前記記録媒体の前記搬入終端縁が前記挿排口より前記筐体外部側に位置する状態で、前記ラックおよび前記カム駆動伝達ギアが離隔した状態に位置し、前記記録媒体の前記搬入終端縁が前記挿排口より前記筐体内に搬入された状態で、前記ラックが前記カム駆動伝達ギアに係合するクリアランスが設けられた
ことを特徴としたディスク搬送装置。
【請求項３】
請求項１または請求項２に記載のディスク搬送装置であって、
前記記録媒体の搬送をガイドするとともに、前記記録媒体の搬送状態に応じて回動するアーム部材を備え、
前記カム部材は、前記記録媒体の搬入時に前記アーム部材が所定量回動すると、このアーム部材に前記ラックが前記カム駆動伝達ギアに係合される方向に押し出される
ことを特徴としたディスク搬送装置。
【請求項４】
請求項３に記載のディスク搬送装置であって、
前記駆動伝達切替手段は、前記カム部材の移動を規制するロック機構を備え、
前記カム部材は、前記駆動伝達切替手段の駆動力の切替状態に応じて、前記ロック機構が前記カムの移動を規制する状態で、前記アーム部材を、前記記録媒体を搬出する搬出方向に付勢する付勢手段を備えた
ことを特徴としたディスク搬送装置。
【請求項５】
請求項１ないし請求項４のいずれかに記載のディスク搬送装置であって、
前記搬送手段は、前記挿排口の近傍に設けられて、前記記録媒体の搬送経路に対して先端側が進退する長手状ローディングアームの前記先端部に設けられて、前記記録媒体の搬送方向に回転するローラである
ことを特徴としたディスク搬送装置。
【請求項６】
請求項１ないし請求項５のいずれかに記載のディスク搬送装置と、
前記保持手段に保持された前記記録媒体に記録された情報を読み込む読込処理、および前記記録媒体に情報を記録する記録処理のうち少なくともいずれか一方の処理を実施する情報処理部と、
を具備したことを特徴としたディスク装置。
【発明の詳細な説明】
【技術分野】
【０００１】
本発明は、ディスク状の記録媒体を搬送するディスク搬送装置、およびディスク装置に関する。
【背景技術】
【０００２】
従来、ディスク状記録媒体を装置内部に格納可能なディスク装置が知られている。（例えば、特許文献１参照）。
【０００３】
この特許文献１に記載のものは、移送ローラによりディスクを搬送し、位置決め機構によりディスクをターンテーブル上方に位置決めするディスク再生装置である。この位置決め機構は、支点ピンで回動可能に枢支されて互いに交差する左右の位置決めレバーと、これらの位置決めレバーに設けられる係合孔に係合する支点ピンを有して、ソレノイドにより回動する切換レバーとにより構成されている。また、このディスク再生装置のディスク挿入口の近傍には、中央センサ、および中央センサの左右に設けられる左右センサ、外側センサが設けられ、これらのセンサによりディスク挿入口から挿入されたディスクの径を判別する。そして、センサにより大径のディスクの挿入が確認されると、切換レバーを回転させて位置決めピンがもっとも開いた位置となるように左右の位置決めレバーを回動させ、小径のディスクの挿入が確認されると、位置決めピンが最も近寄った位置となるように左右の位置決めレバーを回動させる構成が採られている。
【０００４】
【特許文献１】特開平０２−１１８９５５号公報（第３頁ないし第５頁、図１ないし図７参照）
【発明の開示】
【発明が解決しようとする課題】
【０００５】
ところで、上記特許文献１のような従来の構成では、センサにより搬入口からディスクが挿入されたことを認識すると、このディスクの径寸法を認識して移送ローラおよび位置決め機構によりディスクの搬送動作が実施される。しかしながら、例えばディスクの搬入動作時にディスクを引き抜くなどすると、ディスクが完全に挿入されていないにも関わらず、ターンテーブルなどの各構成が駆動してしまい、ディスクとディスク再生装置を構成する部品とが接触してディスクやディスク再生装置を損傷するおそれがあるという問題が一例として挙げられる。
【０００６】
本発明は、ディスクを確実に搬送可能なディスク搬送装置、およびディスク装置を提供することを１つの目的とする。
【課題を解決するための手段】
【０００７】
請求項１に記載の発明は、ディスク状の記録媒体を挿排する挿排口を備えた筐体と、前記筐体内に設けられるとともに、駆動力を発生する駆動手段と、前記駆動手段からの駆動力により駆動されるとともに、前記記録媒体を搬送する搬送手段と、前記筐体内に設けられるとともに、前記搬送手段により前記筐体内に搬入された前記記録媒体を、前記記録媒体に記録された情報を処理可能な状態に保持する保持手段と、前記筐体内に設けられて、前記駆動手段からの駆動力により駆動されて前記保持手段を前記記録媒体に対して進退させるカム部材と、前記筐体内に設けられて、前記搬送手段および前記カム部材への駆動力の伝達状態を切り替えるとともに、前記記録媒体の搬入方向の終端縁が少なくとも前記挿排口よりも筐体内に搬入された状態で、前記カム部材に駆動力を伝達する状態に前記伝達状態を切り替える駆動伝達切替手段と、を具備したことを特徴としたディスク搬送装置である。
【０００８】
請求項６に記載の発明は、請求項１ないし請求項５のいずれかに記載のディスク搬送装置と、前記保持手段に保持された前記記録媒体に記録された情報を読み込む読込処理、および前記記録媒体に情報を記録する記録処理のうち少なくともいずれか一方の処理を実施する情報処理部と、を具備したことを特徴としたディスク装置である。
【発明を実施するための最良の形態】
【０００９】
以下、本発明に係る一実施形態のディスク装置を図面に基づいて説明する。図１は、本発明に係る一実施形態の記録媒体駆動装置としてのディスク装置の初期状態における内部構成を示す平面図である。図２は、前記実施形態におけるディスク装置の搬入部および搬出部の構成を示す平面図である。図３は、前記実施形態におけるディスク装置の駆動部、搬出部およびクランプ部の構成を示す平面図である。図４は、前記実施形態における駆動部４０の近傍を示す平面図である。図５は、前記実施形態における駆動部４０近傍のカバー部材を取り外した状態の平面図である。図６は、駆動部を構成する第一伝達ギアの構成を示す斜視図である。図７は、前記実施形態におけるロック機構を示す側断面図である。図８は、前記実施形態におけるガイド機構に係る付勢力を示す図である。図９は、図８の状態からさらにガイドアームを反時計回り方向に回動させた状態におけるガイド機構に係る付勢力を示す図である。図１０は、図９の状態からさらにガイドアームを反時計回り方向に回動させた状態におけるガイド機構に係る付勢力を示す図である。図１１は、図１０の状態からさらにガイドアームを反時計回り方向に回動させた状態におけるガイド機構に係る付勢力を示す図である。図１２は、前記実施形態におけるディスク装置のクランプ部を構成する第一シフトカムの背面側の平面図である。図１３は、前記実施形態における前記第一シフトカムを左壁側からみた側面図である。
【００１０】
〔ディスク装置の構成〕
図１において、１００は、本発明の一実施形態に係る記録媒体駆動装置としてのディスク装置であり、このディスク装置１００は、ディスク状の記録媒体としての光ディスク１の少なくとも一面に設けられた図示しない記録面に記録された情報を読み出す読取処理や記録面へ各種情報を記録する記録処理を実施する。このディスク装置１００は、例えばノート型パーソナルコンピュータなど、比較的厚み寸法に制限がある電気機器に装着されるいわゆる薄型スロットインタイプディスク装置である。なお、本実施形態では、ノート型パーソナルコンピュータに装着される薄型のディスク装置１００を例示するが、これに限らず、例えばゲーム機や、映像データの録画再生処理を実施する、いわゆるビデオ装置などに装着されてもよい。また、読取処理および記録処理のうちいずれか一方のみを実施する構成としても対象とすることができる。
【００１１】
また、このディスク装置１００は、光ディスク１として、直径１２ｃｍの大径ディスク１Ａと、直径８ｃｍの小径ディスク１Ｂとを収納することができる。なお、ディスク状の記録媒体としては、光ディスク１に限らず、磁気ディスク、光磁気ディスクなどのいずれのディスク状記録媒体を対象とすることができる。
【００１２】
そして、ディスク装置１００は、例えば金属製で内部空間を有する略箱形状の筐体１０を備えて構成されている。なお、この筐体１０において、図１中の下側の面を正面１０Ａ、図１中の筐体１０の左側壁を左壁１０Ｂ、図１中の筐体１０の右側壁を右壁１０Ｃ、図１中の上側の面を背面１０Ｄ、図１中の紙面手前側を天面側、図１中の紙面奥側を底面側と適宜称する。
【００１３】
筐体１０は、筐体本体部１１と、図中筐体本体部１１の右側に設けられるウィング部１２とを備えて構成されている。これらの筐体本体部１１およびウィング部１２は、天面が同一平面上に形成され、底面が異なる高さ寸法に形成されている。すなわち、ウィング部１２の底面は、筐体本体部１１の底面よりも天面からの距離寸法が小さく形成されている。そして、筐体本体部１１の右壁１０Ｃ側には、筐体本体部１１の底面から立ち上がり、筐体本体部１１の底面およびウィング部１２の底面を連結する段差壁部１３が形成されている。
【００１４】
筐体本体部１１の背面１０Ｄ側には、ベースプレート１１１が固定されている。このベースプレート１１１は、例えばアルミなどの金属により、左右方向（左壁１０Ｂから右壁１０Ｃに向かう方向）に長手となる略板状に形成されている。このベースプレート１１１は、筐体本体部１１の底面に対向して、ウィング部１２の底面と略同一高さ平面上に配置されている。
このベースプレート１１１の左右方向の両端側には、それぞれ前後方向（正面１０Ａから背面１０Ｄに向かう方向）に長手となるリンク案内孔１１２，１１３が形成されている。また、ベースプレート１１１の左壁１０Ｂの背面１０Ｄ側には、プレートリンクピン案内孔１１４が前後方向に長手に設けられている。
さらに、ベースプレート１１１の左壁１０Ｂ側には、右壁１０Ｃ側の背面１０Ｄ側から左壁１０Ｂの正面１０Ａ側に向かって傾斜するガイドアーム案内溝１１５が設けられている。さらには、ベースプレート１１１のガイドアーム案内溝１１５の左壁１０Ｂ側には、略三角形状のガイドアーム案内窓１１６が形成されている。
また、ベースプレート１１１の背面１０Ｄ側の略中央部には、背面１０Ｄ側から正面１０Ａ側に向かって円弧状のイジェクトアーム規制溝１１７が形成されている。
【００１５】
ウィング部１２は、右壁１０Ｃ近傍、かつ正面１０Ａ近傍に、ローディングアーム付勢部１２Ａを備えている。このローディングアーム付勢部１２Ａは、正面１０Ａに対向するアーム当接部１２Ｂを備え、このアーム当接部１２Ｂは、例えばばね部材などの付勢手段により背面１０Ｄ側に付勢されている。
【００１６】
また、筐体１０の正面１０Ａには、光ディスク１を挿入排出するための挿排口１４が、筐体本体部１１からウィング部１２に亘って、図１中左右方向に延びて形成されている。さらに、筐体１０の背面１０Ｄの左壁１０Ｂ側には、コネクタ部１５が形成されている。このコネクタ部１５は、制御回路部に電気的に接続されている。また、コネクタ部１５は、例えばディスク装置１００の外部のパーソナルコンピュータなどの外部機器と接続可能であり、外部機器から各種情報を送受信したり、電力が供給されるプラグが接続されたりする。
【００１７】
そして、筐体１０の内部には、いわゆるトラバースメカと称される保持手段としてのディスク処理部２０と、光ディスク１を搬送するディスク搬送装置としての搬送手段３０と、図示しない制御回路部とが設けられている。
【００１８】
ディスク処理部２０は、筐体１０の挿排口１４近傍、すなわち、正面１０Ａの左壁１０Ｂ側から筐体１０の略中心位置に向かって長手に形成されている。このディスク処理部２０は、例えば金属板にて略板状に形成され、ディスク処理部２０の長手方向と略同一方向に長手となる台座部２１を有している。
【００１９】
この台座部２１は、筐体１０の略中心位置に対応する長手方向の一端側が筐体１０の高さ方向に略沿って揺動可能に、弾性を有するフロートゴム２１Ａを介して筐体１０内に配設されている。また、台座部２１には、長手方向に沿って、長手状の処理開口部２１Ｂが略中央に切欠形成されている。そして、台座部２１の処理開口部２１Ｂの一端側、すなわち筐体１０の略中心位置に、ディスク回転駆動手段２２が配設されている。このディスク回転駆動手段２２は、図示しないスピンドルモータと、このスピンドルモータの出力軸に一体的に設けられたディスク保持部としてのターンテーブル２３とを備えている。スピンドルモータは、制御回路部に電気的に接続され、制御回路部から供給される電力により駆動する。ターンテーブル２３は、筐体１０の内部の略中心部に設けられるとともに光ディスク１を配置した状態で回転駆動する。
【００２０】
また、ターンテーブル２３の中心には、光ディスク１の中心に設けられる円形孔であるセンターホールを係脱可能なディスク係合部２３Ａが天面側に突出して形成されている。さらに、このディスク係合部２３Ａの周縁には、光ディスク１がディスク係合部２３Ａに係合された状態で天面側に突出し、光ディスク１の抜け落ちを防止する図示しない爪部材が設けられている。
【００２１】
また、台座部２１には、情報処理部２４が配設されている。この情報処理部２４は、台座部２１の長手方向に略沿った中心軸を有する一対のガイドシャフト２５間に架橋する状態に支持されており、図示しない移動機構により処理開口部２１Ｂ内でターンテーブル２３に対して近接離隔される。この情報処理部２４は、図示しない光源と、この光源からの光を収束するピックアップレンズ２４Ａと、光ディスク１で反射された出射光を検出する図示しない光センサとを有するピックアップ機構を備えている。
【００２２】
搬送手段３０は、挿排口１４から挿入された光ディスク１を筐体１０の内部に搬入したり、搬入された光ディスク１をディスク処理部２０のターンテーブル２３に載置したり、筐体１０の内部の光ディスク１を外部に搬出したりする。そして、この搬送手段３０は、駆動部４０と、搬入部５０と、搬出部６０と、ディスククランプ部７０と、などを備えている。
【００２３】
駆動部４０は、図１、図４、図５、および図６に示すように、搬送手段３０の各部を駆動させる駆動力を供給する。この駆動部４０は、駆動手段としての駆動モータ４１と、駆動伝達切替手段としての駆動伝達ギア群４２と、を備えている。
【００２４】
駆動モータ４１は、筐体１０の正面１０Ａの挿排口１４近傍で、ディスク処理部２０の配設によるデットスペースとなるディスク処理部２０と段差壁部１３との間に配置されている。
この駆動モータ４１は、制御回路部に電気的に接続され、制御回路部からの制御信号に基づき、回転軸を回転駆動させる。また、回転軸の先端には、ウォームギア４１１が設けられており、このウォームギア４１１は、駆動伝達ギア群４２に回転駆動力を伝達する。
【００２５】
駆動伝達ギア群４２は、第一伝達ギア４２１と、シフト駆動分岐ギア４２２と、ローラ駆動分岐ギア４２３と、第二伝達ギア４２４と、ロック機構の一部を構成するカム駆動伝達ギアとしてのカムシフトギア４２５と、を備えている。
【００２６】
第一伝達ギア４２１は、図６に示すように、雄型ギア４２１Ａと、雌型ギア４２１Ｂとを備えている。
【００２７】
雄型ギア４２１Ａは、雌型ギア４２１Ｂの底面側に配置されている。この雄型ギア４２１Ａは、周縁に形成される第一大径伝達ギア４２１Ａ１と、第一大径伝達ギア４２１Ａ１と同軸上で、この第一大径伝達ギア４２１Ａ１の底面側に一体的に設けられる第一底面側小径伝達ギア４２１Ａ２と、を備えている。また、雄型ギア４２１Ａの天面側には、周縁近傍にギアピン４２１Ａ３が雌型ギア４２１Ｂに向かって突出している。
雌型ギア４２１Ｂは、雄型ギア４２１Ａの天面側で、この雄型ギア４２１Ａと同軸上に設けられている。そして、この雌型ギア４２１Ｂは、天面側に第一底面側小径伝達ギア４２１Ａ２と略同一径寸法となる第一天面側小径伝達ギア４２１Ｂ１を備えている。
また、雌型ギア４２１Ｂは、底面側の外周縁近傍に略円弧状のギアピン係合溝４２１Ｂ２が形成されている。さらに、このギアピン係合溝４２１Ｂ２の一部には、ギアピン係止部４２１Ｂ３が設けられている。
そして、ギアピン係合溝４２１Ｂ２には、雄型ギア４２１Ａのギアピン４２１Ａ３が係合されている。すなわち、ギアピン４２１Ａ３は、ギアピン係合溝４２１Ｂ２のギアピン係止部４２１Ｂ３間で移動可能に設けられている。これにより、雌型ギア４２１Ｂは、ギアピン４２１Ａ３がギアピン係合溝４２１Ｂ２を移動可能な所定角度だけ、雄型ギア４２１Ａに対して相対回転可能に設けられる。
【００２８】
第一伝達ギア４２１の第一大径伝達ギア４２１Ａ１は、ウォームギア４１１に噛合され、駆動モータ４１の回転駆動力を、筐体１０の底面に対して直交する軸を中心とした回転駆動力に変換する。また、第一底面側小径伝達ギア４２１Ａ２は、シフト駆動分岐ギア４２２に噛合され、第一天面側小径伝達ギア４２１Ｂ１は、ローラ駆動分岐ギア４２３に噛合されている。これにより、第一伝達ギア４２１は、駆動モータ４１からの回転駆動力をシフト駆動分岐ギア４２２およびローラ駆動分岐ギア４２３に伝達する。
【００２９】
シフト駆動分岐ギア４２２は、径寸法が大きい大径シフト駆動分岐ギア４２２Ａと、大径シフト駆動分岐ギア４２２Ａと同軸上で底面側に一体的に設けられる駆動分岐ピニオン４２２Ｂとを備えている。そして、大径シフト駆動分岐ギア４２２Ａは、第一伝達ギア４２１の第一底面側小径伝達ギア４２１Ａ２に噛合され、駆動分岐ピニオン４２２Ｂは、カムシフトギア４２５に噛合している。
【００３０】
ローラ駆動分岐ギア４２３は、径寸法が大きい大径ローラ駆動分岐ギア４２３Ａと、大径ローラ駆動分岐ギア４２３Ａと同軸上で天面側に一体的に設けられる小径ローラ駆動分岐ギア４２３Ｂとを備えている。そして、大径ローラ駆動分岐ギア４２３Ａは、第一伝達ギア４２１の第一天面側小径伝達ギア４２１Ｂ１に噛合され、小径ローラ駆動分岐ギア４２３Ｂは、第二伝達ギア４２４に噛合されている。これにより、ローラ駆動分岐ギア４２３は、第一伝達ギア４２１から伝達された回転駆動力を第二伝達ギア４２４に伝達する。また、このローラ駆動分岐ギア４２３は、カバー部材４３の裏面に、ウィング部１２の底面と略同一高さ位置に設けられている。これによりローラ駆動分岐ギア４２３の底面と、筐体本体部１１の底面との間には、空間が形成され、この空間が第一シフトカム７１の移動経路となっている。
【００３１】
第二伝達ギア４２４は、カバー部材４３の天面側に設けられている。この第二伝達ギア４２４は、小径ローラ駆動分岐ギア４２３Ｂ、および搬入部５０の後述するローディングアーム５１に噛合されている。これにより、ローラ駆動分岐ギア４２３から伝達された回転駆動力をローディングアーム５１に伝達する。
【００３２】
カムシフトギア４２５は、径寸法が大きい大径シフトギア４２５Ａと、この大径シフトギア４２５Ａと同軸上で天面側に一体に設けられ、径寸法が小さいピニオンギア４２５Ｂと、を備えている。ここで、大径シフトギア４２５Ａは、第一シフトカム７１の底面側、すなわち筐体本体部１１と第一シフトカム７１との間に設けられ、ピニオンギア４２５Ｂは、第一シフトカム７１の端面に形成される後述するラック７１１Ａの進退移動経路に設けられている。この大径シフトギア４２５Ａは、シフト駆動分岐ギア４２２の駆動分岐ピニオン４２２Ｂに噛合されている。一方、ピニオンギア４２５Ｂは、ディスククランプ部７０の後述する第一シフトカム７１に噛合可能に設けられており、光ディスク１が挿入されていない初期状態では、ピニオンギア４２５Ｂと第一シフトカム７１の後述するラック７１１Ａとの間には、所定寸法のクリアランスが設けられている。
また、カムシフトギア４２５の底面側には、グリップ面４２５Ｃが形成されている。このグリップ面４２５Ｃは、例えばカムシフトギア４２５の底面側に略リング状のフェルトを貼付することで形成されている。
【００３３】
さらに、このカムシフトギア４２５の底面側には、図７に示すように、切替アームとしてのロックアーム４２６が回動可能に設けられている。このロックアーム４２６は、長手板状に形成され、長手一端部に摩擦回転部４２６Ａが形成されている。
この摩擦回転部４２６Ａは、グリップ面４２５Ｃ側に突出する摩擦当接面４２６Ｂと、このカムシフトギア４２５の回転軸が挿通される孔部を有している。そして、ロックアーム４２６は、摩擦当接面４２６Ｂがグリップ面４２５Ｃに当接することで、摩擦力によりカムシフトギア４２５の回転方向に回転する。
また、ロックアーム４２６の長手他端部には、天面側に突出するロックピン４２６Ｄが設けられている。このロックピン４２６Ｄは、後述する第一シフトカム７１に係合され、この第一シフトカム７１の移動を規制する。
なお、グリップ面４２５Ｃがフェルトを貼付することで形成される例を示したが、例えば、ゴムなどその他の摩擦力を増大させる部材を貼付する構成としてもよく、大径シフトギア４２５Ａの底面側に凹凸形状を形成するなどして摩擦力を増大させる構成などとしてもよい。また、ロックアーム４２６の摩擦回転部４２６Ａの天面側に例えばフェルトなどを貼付してグリップ面を形成する構成としてもよい。
【００３４】
そして、駆動部４０の天面側には、図４に示すように、カバー部材４３が設けられている。このカバー部材４３は、例えば合成樹脂などにて形成され、駆動モータ４１および駆動伝達ギア群４２の天面側を覆う状態に、筐体本体部１１に固定されている。このカバー部材４３は、正面１０Ａ側に配設される正面側カバー部４３１と、この正面側カバー部４３１よりも背面１０Ｄ側に配設される背面側カバー部４３２とを備えている。正面側カバー部４３１は、天面側の面がウィング部１２の底面より天面側に配置されている。一方、背面側カバー部４３２は、天面側の面がウィング部１２の底面と略同一平面に位置している。そして、これら正面側カバー部４３１と背面側カバー部４３２との間には、段差部４３３が設けられている。この段差部４３３は、ローラ駆動分岐ギア４２３の背面１０Ｄ側に、左右方向（左壁１０Ｂから右壁１０Ｃに向かう方向）に長手状に形成されている。
【００３５】
搬入部５０は、図１および図２に示すように、駆動部４０から供給される駆動力により駆動され、挿排口１４から挿入された光ディスク１を筐体１０の内部に搬入する。この搬入部５０は、ローディングアーム５１と、ローディングリンク機構５２と、サブローディングアーム５３と、サブアームリンク機構５４と、リンクプレート５５と、ガイド機構５６と、などを備えている。
【００３６】
ローディングアーム５１は、長手状に形成され、一端部がウィング部１２の挿排口１４近傍に回動可能に取り付けられ、他端部が筐体１０の中心位置に対して進退可能となるように設けられている。このローディングアーム５１は、先端部に光ディスク１を保持可能な搬送手段としてのローラ５１３を備えており、このローラ５１３の回転駆動により光ディスク１を搬送経路に沿って搬送する。
そして、ローディングアーム５１は、搬送される光ディスク１の径寸法に応じて、光ディスク１を案内可能な位置まで右壁１０Ｃ側に回動される。すなわち、例えば大径ディスク１Ａを搬送する場合、ローディングアーム５１は、右壁１０Ｃの近傍まで回動される。一方、小径ディスク１Ｂを搬送する場合には、ローディングアーム５１は、小径ディスク１Ｂを搬送可能な位置、すなわち、ターンテーブル２３の回転中心から前後方向（正面１０Ａから背面１０Ｄに向かう方向）に伸ばした中心線（センターライン）とローラ５１３までの距離が略４ｃｍとなる位置まで回動される。また、ディスク処理部２０が天面側に移動して、光ディスク１をターンテーブル２３にクランプした演奏可能状態では、ローディングアーム５１は右壁１０Ｃ側に回動され、ローラ５１３が光ディスク１の周縁から離反する。
そして、このローディングアーム５１は、長手状のローディングアーム本体５１１と、このローディングアーム本体５１１に設けられるローラ駆動部５１２と、上記したローラ５１３と、を備えている。
【００３７】
ローディングアーム本体５１１は、例えば合成樹脂製で、ローディングアーム５１の長手方向に沿って長手に形成される板状部材である。このローディングアーム本体５１１の基端部には、軸支部５１１Ａが設けられている。そして、ローディングアーム本体５１１は、ウィング部１２の底面から天面側に突設される軸により軸支部５１１Ａを中心として回転可能に軸支されることで、先端部が筐体１０の内方側に向かって進退可能となる。
また、このローディングアーム本体５１１は、長手先端側の挿排口１４側の端縁に底面側に突出するストッパ片５１１Ｃを一体的に備えている。このストッパ片５１１Ｃは、上記したカバー部材４３の背面側カバー部４３２に対向して位置し、ローディングアーム５１が挿排口１４に最も近接する状態（初期状態）において、カバー部材４３の段差部４３３に当接する。すなわち、ローディングアーム５１は、ストッパ片５１１Ｃと段差部４３３とが当接する位置から挿排口１４側への回動が規制される。
このローディングアーム本体５１１の基端側端面には、軸支部５１１Ａを中心とした所定径寸法の円弧状の第一歯車５１１Ｂが一体的に設けられている。
また、ローディングアーム本体５１１の先端部には、ローラ５１３を取り付ける図示しないローラ取付孔が形成されている。
さらに、ローディングアーム本体５１１の基端側には、底面側に突出するアームピン５１１Ｄが設けられている。このアームピン５１１Ｄは、ローディングアーム５１が右壁１０Ｃ側に所定角度回動した状態で、前記したローディングアーム付勢部１２Ａのアーム当接部１２Ｂに当接する。そして、ローディングアーム５１がさらに右壁１０Ｃ側に回動すると、ローディングアーム５１は、ローディングアーム付勢部１２Ａにより半時計回り方向に付勢される。
【００３８】
ローラ駆動部５１２は、ローディングアーム本体５１１の底面部側に設けられている。このローラ駆動部５１２は、ローディングアーム本体５１１の軸支部５１１Ａを軸支する軸を回転中心とした第一ローラ駆動ギア５１２Ａと、第一ローラ駆動ギア５１２Ａに噛合される第二ローラ駆動ギア５１２Ｂと、第二ローラ駆動ギア５１２Ｂに噛合される第三ローラ駆動ギア５１２Ｃと、を備えている。そして、第一ローラ駆動ギア５１２Ａは、駆動部４０の第二伝達ギア４２４に噛合され、駆動部４０から駆動力が伝達される。また、第三ローラ駆動ギア５１２Ｃは、ローラ５１３に噛合され、駆動部４０から第一および第二ローラ駆動ギア５１２Ａ，５１２Ｂを介して伝達される駆動力をローラ５１３に伝達する。
【００３９】
また、これらの第一ないし第三ローラ駆動ギア５１２Ａ，５１２Ｂ，５１２Ｃは、ローディングアーム本体５１１とウィング部１２との隙間寸法と略同一、若しくは若干小さい厚み寸法に形成されており、ローディングアーム５１の回動時に、第一ないし第三ローラ駆動ギア５１２Ａ，５１２Ｂ，５１２Ｃがウィング部１２に干渉しないように設定されている。
【００４０】
ローラ５１３は、ローディングアーム本体５１１の先端部のローラ取付孔に回転可能に取り付けられている。このローラ５１３は、ローディングアーム本体５１１の底面側に設けられるローラ歯車５１３Ａと、ローディングアーム本体５１１の天面側に設けられるローラ本体５１３Ｂとを備えている。これらのローラ歯車５１３Ａおよびローラ本体５１３Ｂは、ローディングアーム本体５１１のローラ取付孔を貫通する軸により一体的に形成されている。
【００４１】
ローラ歯車５１３Ａは、第三ローラ駆動ギア５１２Ｃに噛合され、第三ローラ駆動ギア５１２Ｃの回転駆動により回転される。
ローラ本体５１３Ｂは、ローディングアーム本体５１１の面に対して略直交する方向を軸とした略円筒状に形成されている。このローラ本体５１３Ｂは、軸方向の中心部の径寸法が天面側および底面側の径寸法よりも径小となる凹状部を有している。また、ローラ本体５１３Ｂの周面は、例えば合成樹脂などの弾性部材により形成されている。そして、ローラ本体５１３Ｂは、凹状部にて光ディスク１の周縁部を保持した状態で、回転駆動されることで光ディスク１を搬送経路に沿って進退させる。
【００４２】
ローディングリンク機構５２は、ローディングリンクアーム５２１と、ローディングスライドプレート５２２と、などを備えている。
【００４３】
ローディングリンクアーム５２１は、ウィング部１２の底面に回動可能に設けられている。このローディングリンクアーム５２１は、略扇状に形成され、扇の円弧に沿って、ローディングアーム本体５１１の第一歯車５１１Ｂに係合される第二歯車５２１Ａが形成されている。また、ローディングリンクアーム５２１の第二歯車５２１Ａの内方側、すなわち左壁１０Ｂ側には、ウィング部１２の底面に向かって突出するローディングリンクピン５２１Ｂが設けられている。
【００４４】
ローディングスライドプレート５２２は、段差壁部１３に対向して前後方向（筐体１０の正面１０Ａから背面１０Ｄに向かう方向）に長手に形成されている。また、ローディングスライドプレート５２２の正面１０Ａ側には、天面側端縁から右壁１０Ｃ側に突出し、ウィング部１２側の底面に対向する第一ローディングリンク係合部５２２Ａが形成されている。
この第一ローディングリンク係合部５２２Ａには、左右方向に長手となるローディング係合溝５２２Ｂが形成されており、このローディング係合溝５２２Ｂにローディングリンクアーム５２１のローディングリンクピン５２１Ｂが係合されている。そして、ローディングスライドプレート５２２は、ローディングアーム５１の回動によりローディングリンクアーム５２１が回動すると、ローディングリンクピン５２１Ｂが前後方向に進退するため、このローディングリンクピン５２１Ｂの移動に応じて、前後方向にスライド移動する。
【００４５】
また、ローディングスライドプレート５２２の背面１０Ｄ側には、筐体の内方側に突出する第二ローディングリンク係合部５２２Ｃが形成されている。この第二ローディングリンク係合部５２２Ｃには、左壁１０Ｂ側の背面１０Ｄ側から右壁１０Ｃの正面１０Ａ側に向かう第二ローディング係合溝５２２Ｄが形成されている。また、第二ローディングリンク係合部５２２Ｃには、筐体本体部１１の底面側に突出するローディング案内ピンが設けられ、ベースプレート１１１のリンク案内孔１１２に係合されている。
【００４６】
さらに、ローディングスライドプレート５２２の前後方向の略中心位置には、前後方向に伸びるローディング案内溝５２２Ｅが形成されており、ローディングスライドプレート５２２のスライド移動方向を案内している。
【００４７】
サブローディングアーム５３は、長手状に形成され、基端部が左壁１０Ｂの正面１０Ａ側で、挿排口１４近傍に回動可能に取り付けられている。これにより、サブローディングアーム５３の先端部は、筐体１０の中心位置に向かって進退自在となる。
このサブローディングアーム５３は、基端部から先端部に亘って、光ディスク１の搬送面に対向する摺動溝５３１が形成されている。この摺動溝５３１は、光ディスク１の搬送時、光ディスク１の周縁に当接して搬送を案内する。また、この摺動溝５３１の天面側および底面側端縁には、筐体１０の底面と略平行する舌状案内部５３２Ａ，５３２Ｂが設けられており、光ディスク１の底面側を保持して搬送を案内する。
【００４８】
また、サブローディングアーム５３の基端部の左壁１０Ｂ側には、底面側に突出するサブアームガイドピン５３３が形成されている。このサブアームガイドピン５３３は、サブローディングアーム５３が左壁１０Ｂ側に回動すると正面１０Ａ側に移動し、サブローディングアーム５３が右壁１０Ｃ側に回動すると背面１０Ｄ側に移動する。
【００４９】
このようなサブローディングアーム５３は、ローディングアーム５１と同様に、搬送される光ディスク１の径寸法に応じて光ディスク１を案内可能な位置まで左壁１０Ｂ側に回動される。例えば、大径ディスク１Ａを搬送する場合、サブローディングアーム５３は、左壁１０Ｂの近傍まで回動される。一方、小径ディスク１Ｂを搬送する場合、サブローディングアーム５３は、ターンテーブル２３の回転中心から前後に伸ばした中心線（センターライン）とサブローディングアーム５３の先端部までの距離が約４ｃｍとなる位置まで左壁１０Ｂ側に回動される。また、演奏可能状態では、サブローディングアーム５３は、左壁１０Ｂ側近傍まで回動され、光ディスク１の周縁から離反する。
【００５０】
サブアームリンク機構５４は、サブアームスライドプレート５４１を備えている。
【００５１】
このサブアームスライドプレート５４１は、左壁１０Ｂに対向して前後方向に長手に形成されている。また、サブアームスライドプレート５４１の正面１０Ａ側には、底面側端縁からサブローディングアーム５３の回動軸に向かって延出するサブアームリンク係合部５４１Ａが形成されている。このサブアームリンク係合部５４１Ａには、左右方向に長手となるサブアームリンク溝５４１Ｂが形成されており、サブアームガイドピン５３３が係合されている。
また、サブアームスライドプレート５４１の略中央位置には、右壁１０Ｃ側に突出して、ベースプレート１１１の天面側に位置する案内片５４１Ｃが設けられている。この案内片５４１Ｃには、ベースプレート１１１のリンク案内孔１１３に係合する一対のリンクピン５４１Ｄが正面１０Ａ側および背面１０Ｄ側にそれぞれ設けられ、サブアームスライドプレート５４１の前後方向の移動を案内している。これらのリンクピン５４１Ｄには、それぞれ合成樹脂製のリング状の摺動部材が嵌合されている。そして、サブアームスライドプレート５４１が前後方向に移動することにより、サブアームガイドピン５３３が前後方向に移動され、サブローディングアーム５３が回動する。
さらに、背面１０Ｄ側に配置されるリンクピン５４１Ｄと、ベースプレート１１１の背面側に設けられる図示しないばね掛け部とには、ばねが掛け渡されており、サブアームスライドプレート５４１は、背面１０Ｄ側に付勢されている。
【００５２】
また、サブアームスライドプレート５４１の背面１０Ｄ側には、筐体１０の内方側に突出するプレートリンク係合部５４１Ｅが形成されている。このプレートリンク係合部５４１Ｅには、底面側に突出するプレートリンクピン５４１Ｆが形成されている。このプレートリンクピン５４１Ｆは、後述するリンクプレート５５に係合されている。
さらに、サブアームスライドプレート５４１の天面側でリンクピン５４１Ｄの正面１０Ａ側には、天面側に突出するリバースピン５４１Ｇが形成されている。
【００５３】
リンクプレート５５は、筐体１０の背面１０Ｄ側に設けられ、左右方向に亘って長手状に形成される板状部材である。また、リンクプレート５５は、ローディングアーム５１およびサブローディングアーム５３の動作に応じて、左右方向に移動可能に設けられており、光ディスク１が挿入されていない初期状態では、最も右壁１０Ｃ側に移動した状態で配置される。そして、このリンクプレート５５は、スライドリンクピン５５１と、スライドリンク溝５５２と、イジェクト規制窓５５３と、セレクト片５５４と、スライド案内溝５５５と、カム制御ピン５５６と、を備えている。
【００５４】
スライドリンクピン５５１は、リンクプレート５５の右壁１０Ｃ側端部近傍に、天面側に突出して設けられている。このスライドリンクピン５５１は、ローディングスライドプレート５２２の第二ローディング係合溝５２２Ｄに係合されている。そして、ローディングアーム５１の回動によりローディングスライドプレート５２２が前後方向に移動すると、スライドリンクピン５５１も第二ローディング係合溝５２２Ｄに沿って移動する。これにより、リンクプレート５５は、左右方向に移動する。
スライドリンク溝５５２は、リンクプレート５５の左壁１０Ｂ側端部近傍に形成されている。このスライドリンク溝５５２には、サブアームスライドプレート５４１のプレートリンクピン５４１Ｆが係合されている。そして、リンクプレートが左右方向に移動すると、プレートリンクピン５４１Ｆもスライドリンク溝５５２に沿って移動し、サブアームスライドプレート５４１が前後方向に移動する。すなわち、ローディングスライドプレート５２２、リンクプレート５５、サブアームスライドプレート５４１により、ローディングアーム５１とサブローディングアーム５３が連動して光ディスク１の搬送経路に対して進退する。
【００５５】
イジェクト規制窓５５３は、リンクプレート５５の略中心に形成される窓である。このイジェクト規制窓５５３は、搬出部６０の後述するアーム部材を構成するイジェクトアームとしての第一イジェクトアーム６１の移動を規制する。このイジェクト規制窓５５３は、小径規制係合部５５３Ａと、大径規制係合部５５３Ｂと、小径離隔係合部５５３Ｃと、大径離隔係合部５５３Ｄとを備えている。また、イジェクト規制窓５５３には、第一イジェクトアーム６１に設けられるイジェクトピン６１１が挿通されている。そして、これらの小径規制係合部５５３Ａ、大径規制係合部５５３Ｂ、小径離隔係合部５５３Ｃ、および大径離隔係合部５５３Ｄは、イジェクトピン６１１が移動してそれぞれに係脱可能となるように互いに連通されており、リンクプレート５５がローディングアーム５１およびサブローディングアーム５３と連動して左右方向にスライド移動することで、イジェクトピン６１１との係脱状態が変化する。
【００５６】
小径規制係合部５５３Ａは、イジェクト規制窓５５３の正面１０Ａ側で、かつ左壁１０Ｂ側に設けられている。この小径規制係合部５５３Ａにイジェクトピン６１１が係合された時に、小径ディスク１Ｂがターンテーブル２３にて保持可能なクランプ可能状態となる。
【００５７】
大径規制係合部５５３Ｂは、イジェクト規制窓５５３の背面１０Ｄ側で、かつ左壁１０Ｂ側に設けられている。具体的には、大径規制係合部５５３Ｂは、小径規制係合部５５３Ａの右方から背面１０Ｄ側に伸びる大径対応溝５５３Ｅの先端側に設けられている。そして、この大径規制係合部５５３Ｂにイジェクトピン６１１が係合された時に、大径ディスク１Ａがターンテーブル２３に保持可能なクランプ可能状態となる。
【００５８】
小径離隔係合部５５３Ｃは、小径規制係合部５５３Ａの右壁１０Ｃ側の若干背面１０Ｄ側に形成されている。この小径離隔係合部５５３Ｃにイジェクトピン６１１が係合された時に、小径ディスク１Ｂがターンテーブル２３に保持されて情報処理部２４にて情報処理可能な演奏可能状態となる。
【００５９】
大径離隔係合部５５３Ｄは、大径規制係合部５５３Ｂの右壁１０Ｃ側の若干背面１０Ｄ側に形成されている。そして、大径離隔係合部５５３Ｄにイジェクトピン６１１が係合された時に、大径ディスク１ＢＡターンテーブル２３に保持されて情報処理部２４にて情報処理可能な演奏可能状態となる。
【００６０】
セレクト片５５４は、リンクプレート５５の背面１０Ｄ側で右壁１０Ｃ側に、背面１０Ｄ側に向かって突出形成されている。
【００６１】
スライド案内溝５５５は、リンクプレート５５の略中央部に設けられ、左右方向に長手状に形成されている。このスライド案内溝５５５は、ベースプレート１１１から底面側に突出形成されるリンクプレート案内ピン１１８が設けられ、合成樹脂製のリング状摺動部材を介して係合され、リンクプレート５５の左右方向の移動を案内する。
【００６２】
カム制御ピン５５６は、リンクプレート５５の正面１０Ａ側で右壁１０Ｃ側に、ディスククランプ部７０のカム部材としての第一シフトカム７１に向かって突出形成されている。
【００６３】
また、リンクプレート５５の背面１０Ｄ側の端縁には、筐体１０の底面に向かって折り曲げ形成されたスイッチ片５５７，５５８が形成されている。このスイッチ片５５７，５５８は、リンクプレート５５の左右移動により、筐体１０の底面に配置された制御回路部に設けられる第一スイッチＳＷ１および第二スイッチＳＷ２のオン／オフ状態を切り換える。
【００６４】
ここで、これらの第一スイッチＳＷ１および第二スイッチＳＷ２は、制御回路部の背面１０Ｄ側で、スイッチ片５５７，５５８の左右進退移動の移動経路上に設けられている。そして、第一スイッチＳＷ１は左壁１０Ｂ側でコネクタ部１５の近傍に設けられ、第二スイッチＳＷ２は第一スイッチＳＷ１よりも右壁１０Ｃ側に配設されている。
【００６５】
これらの第一スイッチＳＷ１および第二スイッチＳＷ２は、スイッチ本体と、スイッチ本体から背面１０Ｄ側に突出するとともにスイッチ本体に対して進退自在な可動片を有している。そして、これら第一スイッチＳＷ１および第二スイッチＳＷ２は、可動片が突出した状態ではオフ状態であり、このオフ状態では、制御回路部から供給される基準電圧に基づいて「Ｈ(High)」レベルとして制御回路部にて検出される。一方、リンクプレート５５の移動によりスイッチ片５５７，５５８が可動片に当接すると、可動片がスイッチ本体内部に移動してオン状態となり、このオン状態では、制御回路部から供給される基準電圧に基づいて「Ｌ(Low)」レベルとして制御回路部にて検出される。
【００６６】
これらの第一スイッチＳＷ１および第二スイッチＳＷ２は、光ディスク１が挿入されていない初期状態では、いずれも可動片が背面１０Ｄ側に突出したオフ状態に設定されている。そして、光ディスク１が挿入されてローディングアーム５１およびサブローディングアーム５３の回動とともにリンクプレート５５が左壁１０Ｂ側に移動すると、まず直ちに第二スイッチＳＷ２がオン状態（Ｌレベル）となる。その後、さらにリンクプレート５５が左側に移動すると、第一スイッチＳＷ１がオン状態（Ｌレベル）になる。
【００６７】
ガイド機構５６は、ベースプレート１１１の天面側に配設され、挿排口１４から挿入された光ディスク１の搬入をガイドする。このガイド機構５６は、ガイドプレート５６１と、ガイドアーム５６２とを備えている。
【００６８】
ガイドプレート５６１は、略三角形板状に形成されている。具体的には、ガイドプレートは、略左右方向に伸びる底辺と、この底辺より正面１０Ａ側に配置されて底辺に対向する頂点とを備えた略三角形状に形成されている。
このガイドプレート５６１の底辺の右壁１０Ｃ側に位置する頂点近傍には、底面側に突出するガイド案内ピン５６１Ａが突出形成され、ベースプレート１１１のガイドアーム案内溝１１５に係合されている。
また、ガイドプレート５６１の底辺の左壁１０Ｂ側に位置する頂点近傍には、底面側に突出するばね掛けピン５６１Ｂが突出形成され、ベースプレート１１１のガイドアーム案内窓１１６に挿通されている。
さらに、ガイドプレート５６１の底辺に対向する正面１０Ａ側の頂点には、孔部が設けられ、ガイドアーム５６２が回動自在に連結されている。
【００６９】
ガイドアーム５６２は、長手板状に形成されている。このガイドアーム５６２の長手方向の一端部には、ガイド回動軸５６２Ａがベースプレート１１１側に突出形成されている。このガイド回動軸５６２Ａは、ベースプレート１１１の左壁１０Ｂ側に回動自在に軸支されている。
また、ガイドアーム５６２の一端側で、ガイド回動軸５６２Ａよりも長手他端側となる位置には、ガイドプレート５６１に向かって突出するガイド連結軸５６２Ｂが設けられている。このガイド連結軸５６２Ｂは、ガイドプレート５６１の正面１０Ａ側の頂点に設けられる孔部に回動自在に挿通されている。
さらに、ガイドアーム５６２の他端側には、天面側に突出するディスクガイド部５６２Ｃが設けられている。このディスクガイド部５６２Ｃは、略円錐状のディスク受部５６２Ｄと、ディスク受部５６２Ｄの底面側に設けられるフランジ部５６２Ｅとを備えている。このディスクガイド部５６２Ｃは、フランジ部５６２Ｅにて光ディスク１の周縁をディスク受部５６２Ｄに案内し、ディスク受部５６２Ｄに光ディスク１の周縁が当接された状態で、光ディスク１の姿勢を保持して搬送を案内する。
【００７０】
さらに、ガイドアーム５６２のガイド回動軸５６２Ａの近傍には、戻り当接部５６２Ｇが設けられている。この戻り当接部５６２Ｇは、ガイドアーム５６２が最も左壁１０Ｂ側に回動した状態で、リバースピン５４１Ｇの背面１０Ｄ側に僅かに隙間があくよう配置されている。そして、戻り当接部５６２Ｇは、サブアームスライドプレート５４１が、背面１０Ｄ側に移動すると、リバースピン５４１Ｇの移動に追従して背面１０Ｄ側に移動し、ガイドアーム５６２を時計回り方向に回動させる。
【００７１】
そして、ガイドプレート５６１のばね掛けピン５６１Ｂと、ベースプレート１１１の左壁１０Ｂ側に設けられるばね掛け部１１９との間には、ガイドばね５６３が掛け渡されている。つまり、ガイドばね５６３は、ベースプレート１１１およびガイドプレート５６１を架橋し、ガイドプレート５６１を挿排口１４に近接する方向に付勢する状態で設けられている。
【００７２】
このようなガイド機構５６では、ばね掛けピン５６１Ｂ、ガイド回動軸５６２Ａ、およびガイド連結軸５６２Ｂの位置に応じて、ガイドアーム５６２の付勢方向が変化する。
【００７３】
具体的には、図８に示すように、ガイド連結軸５６２Ｂには、ガイドばね５６３によるガイドプレート５６１の付勢により、ばね掛けピン５６１Ｂからガイド連結軸５６２Ｂに向かう方向（ばね対応付勢方向）への力が常に発生する。また、ガイド連結軸５６２Ｂが、ばね掛けピン５６１Ｂおよびガイド回動軸５６２Ａを結ぶ線分（基準線分）より右壁１０Ｃ側に位置する状態（右側位置状態）では、ガイドアーム５６２の回動によるガイド連結軸５６２Ｂの移動方向（回動時移動方向）と、ばね対応付勢方向とのなす角度は、鋭角となる。このため、右側位置状態では、ガイド連結軸５６２Ｂで発生したばね対応付勢方向へ力の少なくとも一部が、回動時移動方向への力に変換され、ガイドアーム５６２は、時計回り方向への付勢力を受ける。
さらに、ガイドアーム５６２の反時計回りへの回動により、ガイド連結軸５６２Ｂが移動して右側位置状態から基準線分上に位置する状態（線分上位置状態）に近づくにしたがって、図９に示すように、ガイドプレート５６１が背面１０Ｄに移動して、ガイドばね５６３のばね力が大きくなり、ばね対応付勢方向への力も大きくなる。しかし、ばね対応付勢方向と、回動時移動方向とのなす角度は、鋭角から直角に近づく。このため、右側位置状態から線分上位置状態に近づくにしたがって、ガイド連結軸５６２Ｂで発生したばね対応付勢方向へ力が回動時移動方向への力に変換される割合が減少して、ガイドアーム５６２が受ける時計回り方向への付勢力は小さくなる。つまり、ガイドアーム５６２が受ける光ディスク１を排出する方向への付勢力は、光ディスク１が挿入されるにしたがって小さくなる。
【００７４】
また、線分上位置状態では、図１０に示すように、ガイドプレート５６１が背面１０Ｄに最も近づく位置まで移動して、ガイドばね５６３のばね力が最大となり、ばね対応付勢方向への力も最大となる。しかし、ばね対応付勢方向と、回動時移動方向とのなす角度は、直角になる。このため、線分上位置状態では、ばね対応付勢方向へ力が回動時移動方向への力に全く変換されずに、ガイドアーム５６２が受ける時計回り方向または反時計回り方向への付勢力は０になる。したがって、ガイドアーム５６２は、回動しない。
【００７５】
さらに、ガイド連結軸５６２Ｂが基準線分より左壁１０Ｂ側に位置する状態（左側位置状態）では、図１１に示すように、回動時移動方向と、ばね対応付勢方向とのなす角度は、鋭角となる。このため、左側位置状態では、ばね対応付勢方向へ力の少なくとも一部が、回動時移動方向への力に変換され、ガイドアーム５６２は、反時計回り方向への付勢力を受ける。
【００７６】
次に搬出部６０の構成を説明する。搬出部６０は、図１、図２および図３に示すように、第一イジェクトアーム６１と、第二イジェクトアーム６２と、を備えている。これらの第一および第二イジェクトアーム６１，６２は、筐体１０の背面１０Ｄ側で互いに交差して回動可能に設けられている。すなわち、第一イジェクトアーム６１は、背面１０Ｄの右壁１０Ｃ側から正面１０Ａの左壁１０Ｂ側に向かって長手に形成されており、第二イジェクトアーム６２は、背面１０Ｄの左壁１０Ｂ側から正面１０Ａの右壁１０Ｃ側に向かって長手に形成されている。
また、第一および第二イジェクトアーム６１，６２の回動中心軸６１Ａ，６２Ａは、背面１０Ｄから所定寸法だけ正面１０Ａ側で、かつターンテーブル２３の中心を通過するセンターラインおよび右壁１０Ｃ、センターラインおよび左壁１０Ｂとの間にそれぞれ設けられている。この構成により、回動中心軸６１Ａ，６２Ａを、第一シフトカム７１およびコネクタ部１５に干渉しない位置に取り付けることが可能であり、大径ディスク１Ａの挿入時に第一および第二イジェクトアーム６１，６２の先端部を背面１０Ｄ近傍まで回動させることが可能となる。
【００７７】
そして、第一イジェクトアーム６１は、前述したように、底面側に突出するイジェクトピン６１１を備えている。このイジェクトピン６１１は、第二イジェクトアーム６２の略中心位置に形成されるアームリンク孔６２１、前述したリンクプレート５５のイジェクト規制窓５５３、およびベースプレート１１１に形成されるイジェクトアーム規制溝１１７に係合されている。このイジェクトピン６１１は、イジェクトアーム規制溝１１７に沿って回動し、回動途中において、イジェクト規制窓５５３の小径規制係合部５５３Ａ、大径規制係合部５５３Ｂ、小径離隔係合部５５３Ｃ、大径離隔係合部５５３Ｄに係合されて、移動が規制される。また、イジェクトピン６１１がアームリンク孔６２１に挿通されているため、第二イジェクトアーム６２が第一イジェクトアーム６１に連動して回動する。
【００７８】
また、第一イジェクトアーム６１の左壁１０Ｂ側の先端部には、光ディスク１を当接可能な第一ディスク当接部６１２が形成されている。さらに、第一イジェクトアーム６１の右壁１０Ｃ側の基端部には、第一シフトカム７１に向かって突出するカム押出ピン６１３が設けられている。このカム押出ピン６１３は、第一イジェクトアーム６１が回動すると、回動量に応じて第一シフトカム７１を正面１０Ａ側に押し出して移動させる。
【００７９】
そして、第一イジェクトアーム６１の回動中心軸６１Ａ近傍には、ばね係合突起６１４が形成されている。そして、第一イジェクトアーム６１は、このばね係合突起６１４とベースプレート１１１の背面１０Ｄ側に設けられる図示しないばね掛け部との間にばねが取り付けられ、常に反時計周り方向、すなわち第一ディスク当接部６１２が正面１０Ａ側に回動する方向に付勢されている。
【００８０】
第二イジェクトアーム６２には、前記したように、長手方向の略中心位置に、アームリンク孔６２１が形成され、イジェクトピン６１１が挿通されている。
また、第二イジェクトアーム６２の先端部には、光ディスク１を当接可能な第二ディスク当接部６２２が設けられている。この第二ディスク当接部６２２は、第一ディスク当接部６１２に対して常にセンターラインに対して略対称となる位置に配置される。すなわち、第一および第二イジェクトアーム６１，６２が回動すると、第一ディスク当接部６１２および第二ディスク当接部６２２は、センターラインに対して常に略線対称となるように回動する。これら第一および第二イジェクトアーム６１，６２の第一ディスク当接部６１２および第二ディスク当接部６２２と、ローディングアーム５１のローラ５１３およびサブローディングアーム５３の舌状案内部５３２と、ガイドアーム５６２のディスクガイド部５６２Ｃとにより、光ディスク１（１Ａ，１Ｂ）の周縁が保持され、搬送される。
【００８１】
次に、ディスククランプ部７０の構成を説明する。ディスククランプ部７０は、図１、図３、図１２、および図１３に示すように、第一シフトカム７１と、ディスク処理部２０の背面１０Ｄ側に設けられる第二シフトカム７２とを備えている。
【００８２】
第一シフトカム７１は、筐体１０の段差壁部１３に沿って、前後方向に長手に形成されている。この第一シフトカム７１は、初期状態において、最も背面１０Ｄ側に移動した状態で配置され、前記したように第一イジェクトアーム６１のカム押出ピン６１３により正面１０Ａ側に押し出される。
具体的には、第一シフトカム７１は、カム本体部７１１と、スライド部材としてのスライドプレート７１２と、セレクトアーム７１３と、などを備えている。
カム本体部７１１は、第一シフトカム７１の正面１０Ａ側に配置される長手状の部材である。このカム本体部７１１の正面１０Ａ側で、左壁１０Ｂに対向する側面には、ラック７１１Ａが形成されている。このラック７１１Ａは、カムシフトギア４２５のピニオンギア４２５Ｂに係合可能に設けられている。また、上述したように、初期状態において、ラック７１１Ａとピニオンギア４２５Ｂとの間には、所定寸法のクリアランスが設けられている。そして、光ディスク１の搬入により第一シフトカム７１が正面１０Ａ側に移動することでクリアランスが小さくなり、光ディスク１の搬入終端縁が挿排口１４よりも背面１０Ｄ側に搬入された状態で、ラック７１１Ａとピニオンギア４２５Ｂとが係合する。
【００８３】
また、カム本体部７１１の正面１０Ａ側で、筐体本体部１１の底面に対向する面には、ロック係合部としてのロック係合溝７１１Ｂが形成されている。このロック係合溝７１１Ｂは、前後方向に沿って長手となる長手係合部７１１Ｂ１と、この長手係合部７１１Ｂ１の正面１０Ａ側端部から左壁１０Ｂ部に向かって形成されるロック部７１１Ｂ２と、を備えている。なお、このロック係合溝７１１Ｂと、上記したカムシフトギア４２５と、ロックアーム４２６と、により本発明のロック機構が構成されている。
このロック係合溝７１１Ｂには、ロックアーム４２６のロックピン４２６Ｄが係合されている。そして、駆動モータ４１が駆動してカムシフトギア４２５が回転すると、摩擦力によりロックアーム４２６も回転し、ロックピン４２６Ｄの係合位置も移動する。
すなわち、第一シフトカム７１が最も背面１０Ｄ側に位置する初期状態において、カムシフトギア４２５が時計回り方向に回転すると、ロックピン４２６Ｄは、ロック部７１１Ｂ２から長手係合部７１１Ｂ１に移動し、第一シフトカム７１が前後方向に移動可能な状態となる。一方、第一シフトカム７１が最も背面１０Ｄ側に位置する状態で、カムシフトギア４２５が反時計回り方向に回転すると、ロックピン４２６Ｄは、ロック部７１１Ｂ２に移動し、第一シフトカム７１の移動を規制するロック状態となる。
【００８４】
また、カム本体部７１１の左壁１０Ｂに対向する面のラック７１１Ａの背面１０Ｄ側には、図１３に示すように、クランプ昇降溝７１４が形成されている。そして、このクランプ昇降溝７１４には、台座部２１から右壁１０Ｃ側に突設されたクランプ昇降ピン２１Ｃが係合されており、第一シフトカム７１の進退により、クランプ昇降ピン２１Ｃが移動することで台座部２１が昇降する。そして、このクランプ昇降溝７１４は、退避部７１４Ａと、待機部７１４Ｂと、クランプ部７１４Ｃと、演奏状態部７１４Ｄとを備えており、これらの溝が連続して形成されている。
退避部７１４Ａは、クランプ昇降溝７１４の正面１０Ａ側で、筐体１０の底面に最も近接した高さ位置に前後方向に延びて形成されている。
待機部７１４Ｂは、退避部７１４Ａの背面１０Ｄ側に、ディスク処理部２０にて光ディスク１の情報処理が可能な高さと略同一の位置に形成されている。この待機部７１４Ｂでは、光ディスク１のセンターホールとターンテーブル２３との位置補正が実施される。
クランプ部７１４Ｃは、天面側に突出する山形状の溝である。このクランプ部７１４Ｃにクランプ昇降ピン２１Ｃが係合されると、台座部２１を天面側に移動させて、ターンテーブル２３を天面に設けられる図示しないクランプ部材に当接若しくは近接させる。このとき、光ディスク１がターンテーブル２３に押し付けられる。これにより、クランプ部材とターンテーブル２３との間に光ディスク１が挟み込まれ、ターンテーブル２３のディスク係合部２３Ａに光ディスク１のセンターホールが係合される。さらに、センターホールに爪部材が係合して、光ディスク１がターンテーブル２３にチャッキングされる。
演奏状態部７１４Ｄは、クランプ部７１４Ｃの背面１０Ｄ側に形成されている。そして、この演奏状態部７１４Ｄにクランプ昇降ピン２１Ｃが係合されると、情報処理部２４にて光ディスク１の情報が処理される演奏可能状態となる。
【００８５】
また、カム本体部７１１の背面１０Ｄ側の天面に対向する面には、凹溝状のばね設置部７１１Ｃが設けられている。
【００８６】
さらに、カム本体部７１１の背面１０Ｄ側端部には、左壁１０Ｂ側に突出するスイッチ当接部７１１Ｄが設けられている。
【００８７】
スライドプレート７１２は、図１２に示すように、カム本体部７１１の背面１０Ｄ側に前後方向に摺動可能に設けられている。そして、スライドプレート７１２の正面１０Ａ側には、凹溝状のばね設置部７１２Ａが設けられ、カム本体部７１１のばね設置部７１１Ｃとの間で付勢手段としての付勢ばね７１５が設けられている。これにより、スライドプレート７１２は、背面１０Ｄ側に付勢されている。
【００８８】
また、スライドプレート７１２の天面側には、カム溝７１６が形成されている。このカム溝７１６は、待機溝７１６Ａと、８ｃｍディスク用カム溝７１６Ｂと、１２ｃｍディスク用カム溝７１６Ｃと、を備えている。待機溝７１６Ａは、カム溝７１６の正面１０Ａ側に形成され、左右方向に長手となる溝である。８ｃｍディスク用カム溝７１６Ｂは、待機溝７１６Ａに連続形成され、待機溝７１６Ａの右壁１０Ｃ側から背面１０Ｄ側に向かって形成される溝である。１２ｃｍディスク用カム溝７１６Ｃは、待機溝７１６Ａに連続形成され、待機溝７１６Ａの左壁１０Ｂ側から背面１０Ｄに向かって形成される溝である。このカム溝７１６には、リンクプレート５５のカム制御ピン５５６が挿通されている。
【００８９】
セレクトアーム７１３は、図１２に示すように、スライドプレート７１２の底面側に設けられている。このセレクトアーム７１３は、前後方向に長手状に形成され、正面１０Ａ側の一端部が支軸７１３Ａによりスライドプレート７１２に回動自在に軸支されている。この支軸７１３Ａには図示しないトーションばねが設けられ、セレクトアーム７１３を反時計回り方向に付勢している。
【００９０】
また、セレクトアーム７１３の略中央部には、天面側に向かってアーム位置規制ピン７１３Ｂが突出して設けられている。このアーム位置規制ピン７１３Ｂの左壁１０Ｂ側は、リンクプレート５５のセレクト片５５４に当接している。そして、リンクプレート５５の左右方向への移動によりセレクト片５５４が左右方向に移動すると、セレクトアーム７１３はトーションばねの付勢力によりこのセレクト片５５４に追従して回動する。
【００９１】
そして、セレクトアーム７１３の背面１０Ｄ側端部には、左壁１０Ｂ側に突出する第一押出壁部７１３Ｃが形成され、セレクトアーム７１３の略中央部には、右壁１０Ｃ側に第二押出壁部７１３Ｄが形成されている。
これらの第一および第二押出壁部７１３Ｃ，７１３Ｄは、第一イジェクトアーム６１のカム押出ピン６１３と当接可能で、第一イジェクトアーム６１の回動により、カム押出ピン６１３により正面１０Ａ側に押し出される。
ここで、ディスク装置１００内に大径ディスク１Ａが挿入されると、リンクプレート５５の移動量が大きくなるためセレクトアーム７１３の回動量も大きくなり、第二押出壁部７１３Ｄがカム押出ピン６１３により正面１０Ａ側に押し出される。また、ディスク装置１００内に小径ディスク１Ｂが挿入されると、リンクプレート５５の移動量が小さいため、セレクトアーム７１３の回動量も小さくなり、第一押出壁部７１３Ｃがカム押出ピン６１３により正面１０Ａ側に押し出される。
【００９２】
また、第一シフトカム７１の背面１０Ｄ側近傍には、例えば底面に配置される制御回路部に搭載される第三スイッチＳＷ３が配設されている。この第三スイッチＳＷ３は、第一シフトカム７１の移動状態を検出する。
【００９３】
具体的には、この第三スイッチＳＷ３は、上記第一および第二スイッチＳＷ１，ＳＷ２と同様に、制御回路部に接続され、スイッチ本体と可動片とを備えて構成されている。そして、第三スイッチＳＷ３は、第一シフトカム７１が最も正面１０Ａ側に移動すると、スイッチ当接部７１１Ｄが当接して押し込まれ、オン状態（Ｌレベル）になる。
【００９４】
第二シフトカム７２は、第一シフトカム７１の動作と連動して左右方向にスライド移動する。すなわち、第一シフトカム７１が正面１０Ａ側に移動すると、第二シフトカムは左壁１０Ｂ側に移動し、第一シフトカム７１が背面１０Ｄ側に移動すると、第二シフトカムは右壁１０Ｃ側に移動する。また、第二シフトカムの正面１０Ａ側端面には、第一シフトカム７１のクランプ昇降溝７１４と略同一形状の図示しないクランプ昇降溝が形成されている。このクランプ昇降溝には、台座部２１から背面１０Ｄ側に突出する図示しないクランプ昇降ピン２１Ｃが係合されている。そして、第二シフトカムは、左右方向に移動することで第一シフトカム７１と同様に、ディスク処理部２０を揺動させている。
また、第二シフトカム７２の左壁１０Ｂ側端部には、ピン当接部７２１が設けられている。このピン当接部７２１は、第二シフトカム７２が最も左壁１０Ｂ側に移動した状態で、ガイド機構５６のガイド案内ピン５６１Ａを左壁１０Ｂ側に押し出し、ガイドアーム５６２を左壁１０Ｂ側に回動させる。
【００９５】
〔ディスク装置の動作〕
次に、上記ディスク装置の動作について、図面を参照して説明する。
図１４は、大径ディスクのモータ駆動開始状態におけるディスク装置の内部を示す平面図である。図１５は、大径ディスクの搬入途中におけるディスク装置の内部を示す平面図である。図１６は、大径ディスクのカム押出開始状態におけるディスク装置の内部を示す平面図である。図１７は、大径ディスクの搬入完了におけるディスク装置の内部を示す平面図である。図１８は、大径ディスクの演奏可能状態時におけるディスク装置の内部を示す平面図である。図１９は、小径ディスクのモータ駆動開始状態におけるディスク装置の内部を示す平面図である。図２０は、小径ディスクのカム押出開始状態におけるディスク装置の内部を示す平面図である。図２１は、小径ディスクの搬入完了状態におけるディスク装置の内部を示す平面図である。図２２は、小径ディスクの演奏可能状態時におけるディスク装置の内部を示す平面図である。
【００９６】
（大径ディスクの搬入動作）
先ず、ディスク装置１００に大径ディスク１Ａを挿入した場合の搬入動作を説明する。
【００９７】
図１に示すように、初期状態のディスク装置１００の挿排口１４から大径ディスク１Ａを挿入すると、この大径ディスク１Ａの周縁部がローディングアーム５１のローラ５１３およびサブローディングアーム５３の摺動溝５３１に当接する。
この状態でさらに大径ディスク１Ａを背面１０Ｄ側に挿入すると、ローディングアーム５１が右壁１０Ｃ側に回動する。ローディングアーム５１の回動により、リンクプレート５５が連動して左壁１０Ｂ側に移動する。サブローディングアーム５３もローディングアーム５１と同様に左壁１０Ｂ側に回動する。
【００９８】
また、初期状態では、第一伝達ギア４２１は、雄型ギア４２１Ａに設けられるギアピン４２１Ａ３が雌型ギア４２１Ｂのギアピン係合溝４２１Ｂ２内で反時計回り方向に回動してギアピン係止部４２１Ｂ３に当接した状態となっている。したがって、雌型ギア４２１Ｂは雄型ギア４２１Ａのギアピン４２１Ａ３が時計回り方向に回動して他方のギアピン係止部４２１Ｂ３に当接した時に、雄型ギア４２１Ａから駆動力が伝達される状態となり、駆動モータ４１の駆動力により回転駆動する。
【００９９】
また、ローディングアーム５１が僅かに回動すると、リンクプレート５５も左壁１０Ｂ側に移動し、これに伴ってスイッチ片５５８も左壁１０Ｂ側に移動し、第二スイッチＳＷ２の可動片が押し込まれ、第二スイッチＳＷ２がオン状態となる。この第二スイッチＳＷ２がオン状態になることにより、制御回路部は、光ディスク１が挿排口１４から挿入されたことを認識する。
【０１００】
この後、さらに大径ディスク１Ａを挿入すると、ローディングアーム５１がさらに右壁１０Ｃ側に回動し、リンクプレート５５も左壁１０Ｂ側に移動する。そして、図１４に示すように、大径ディスク１Ａのセンターホールの搬入方向における内周縁端部が挿排口１４上に略位置する状態で、リンクプレート５５のスイッチ片５５７が第一スイッチＳＷ１の可動片を押し込み、第一スイッチＳＷ１がオン状態になる。そして、制御回路部は、第一スイッチＳＷ１がオン状態になったことを認識すると、駆動モータ４１を駆動させる（モータ駆動開始状態）。これにより、駆動モータ４１の駆動力が駆動伝達ギア群４２からローディングアーム５１のローラ５１３に伝達し、ローラ５１３が大径ディスク１Ａを搬入する方向、すなわち時計回り方向に回転駆動する。大径ディスク１Ａは、周縁部がローラ５１３に当接しているため、ローラ５１３の駆動力によりディスク装置１００の内部に引き込まれる。
また、このモータ駆動開始状態では、ローディングアーム５１は、アームピン５１１Ｄがローディングアーム付勢部１２Ａのアーム当接部１２Ｂに当接する状態まで回動される。
【０１０１】
この後、ローラ５１３の案内により大径ディスク１Ａがさらにディスク装置１００内部に搬入されると、大径ディスク１Ａの搬入方向の先端縁がガイドアーム５６２のディスクガイド部５６２Ｃに当接する。具体的には、大径ディスク１Ａの搬入先端縁がフランジ部５６２Ｅに当接し、ディスク受部５６２Ｄに案内され、ディスク受部５６２Ｄにて保持される。
この状態では、ガイドアーム５６２のガイド連結軸５６２Ｂが右側位置状態のため、ガイドアーム５６２は、時計回り方向の付勢力を受ける。
【０１０２】
そして、さらに大径ディスク１Ａが背面１０Ｄ側に搬入されると、大径ディスク１Ａの周縁が第一および第二イジェクトアーム６１，６２に当接する。この状態からさらに大径ディスク１Ａがディスク装置１００内部に搬入されると、ローディングアーム５１の回動に連動してリンクプレート５５がさらに左壁１０Ｂ側に移動する。
また、第一イジェクトアーム６１のイジェクトピン６１１は、リンクプレート５５のイジェクト規制窓の大径対応溝５５３Ｅに移動する。
【０１０３】
この後、さらに大径ディスク１Ａをディスク装置１００の内部に搬入すると、ローディングアーム５１のローラ５１３とサブローディングアーム５３の摺動溝５３１とにより、大径ディスク１Ａの最大径部を挟み込む状態となる（最大径挟持状態）。この状態からさらに大径ディスク１Ａが背面１０Ｄ側に搬入されると、ローディングアーム５１は、ローディングアーム付勢部１２Ａの付勢力により、反時計回りに回動し、ローラ５１３と大径ディスク１Ａとの当接状態が維持され、大径ディスク１Ａがさらに背面１０Ｄ側に送られる。
また、この最大径挟持状態近傍において、図１５に示すように、ガイドアーム５６２のディスクガイド部５６２Ｃが大径ディスク１Ａの周縁部に押されて、左壁１０Ｂ側に回動すると、ガイドアーム５６２のガイド連結軸５６２Ｂが、線分上位置状態となる。すなわち、ガイドアーム５６２は、時計回り方向または反時計回り方向の付勢力を受けない状態となる。
【０１０４】
さらに、大径ディスク１Ａの搬入により、ローディングアーム５１が回動し、リンクプレート５５も左壁１０Ｂ側に移動する。したがって、リンクプレート５５のセレクト片５５４も左壁１０Ｂ側に移動する。また、セレクトアーム７１３のアーム位置規制ピン７１３Ｂがセレクト片５５４側に付勢されているため、このセレクト片５５４の移動に伴ってアーム位置規制ピン７１３Ｂも左壁１０Ｂ側に移動する。これにより、セレクトアーム７１３が反時計回り方向に回動し、第二押出壁部７１３Ｄが第一イジェクトアーム６１のカム押出ピン６１３の移動経路上に移動する。
そして、さらに大径ディスク１Ａが搬入されて、第一イジェクトアーム６１が回動すると、図１６に示すように、第一イジェクトアーム６１のカム押出ピン６１３がセレクトアーム７１３の第二押出壁部７１３Ｄに当接し、セレクトアーム７１３を正面１０Ａ側に押し出す。（カム押出開始状態）。
また、リンクプレート５５の移動により、カム制御ピン５５６がスライドプレート７１２のカム溝７１６内において、待機溝７１６Ａと１２ｃｍディスク用カム溝７１６Ｃとの接続位置まで移動する。
【０１０５】
また、駆動伝達ギア群４２のカムシフトギア４２５は、駆動モータ４１の駆動力により時計回り方向に回転駆動しているため、ロックアーム４２６も摩擦力により時計回り方向に付勢され、ロックピン４２６Ｄがロック係合溝７１１Ｂの長手係合部７１１Ｂ１に係合している状態、すなわちカムロック解除状態となっている。また、リンクプレート５５のカム制御ピン５５６が、１２ｃｍディスク用カム溝７１６Ｃに移動可能な位置に位置している。
このため、第一シフトカム７１は、カム押出ピン６１３により押し出されると、正面１０Ａ側に移動する。
【０１０６】
また、最大径挟持状態からカム押出開始状態に至るまでに、ガイドアーム５６２は、ディスクガイド部５６２Ｃが大径ディスク１Ａの周縁部に押されて、左壁１０Ｂ側にさらに回動する。これにより、ガイドアーム５６２のガイド連結軸５６２Ｂが左側位置状態になるため、ガイドアーム５６２は、反時計回り方向に付勢力を受ける。
【０１０７】
そして、大径ディスク１Ａがさらに背面１０Ｄ側に搬入されると、第一シフトカム７１は第一イジェクトアーム６１のカム押出ピン６１３によりさらに正面１０Ａ側に移動される。そして、大径ディスク１Ａが完全にディスク装置１００の内部に搬入された状態、すなわち大径ディスク１Ａの搬入終端縁部が挿排口１４よりも背面１０Ｄ側に搬入された状態で、第一シフトカム７１のラック７１１Ａがカムシフトギア４２５のピニオンギア４２５Ｂに係合される（カム駆動伝達状態）。
【０１０８】
この後、さらに大径ディスク１Ａが背面１０Ｄ側に搬入され、大径ディスク１Ａのセンターホールがターンテーブル２３の上方に移動すると、図１７に示すように、搬入完了状態となる。この状態では、イジェクトピン６１１が大径規制係合部５５３Ｂに係合され、第一イジェクトアーム６１および第二イジェクトアーム６２の移動が規制される。この状態では、大径ディスク１Ａは、ローディングアーム５１のローラ５１３、サブローディングアーム５３の摺動溝５３１、第一イジェクトアーム６１の第一ディスク当接部６１２、および第二イジェクトアーム６２の第二ディスク当接部６２２に保持されている。
【０１０９】
そして、第一シフトカム７１が駆動モータ４１の駆動力によりさらに正面１０Ａ側に移動すると、クランプ動作が開始される。
クランプ動作は、第一シフトカム７１の移動により、台座部２１のクランプ昇降ピン２１Ｃが、第一シフトカム７１のクランプ昇降溝７１４内を移動することで実施される。具体的には、第一シフトカム７１の移動開始時から搬入完了状態までは、クランプ昇降ピン２１Ｃは、退避部７１４Ａに配置されており、台座部２１は退避部７１４Ａの高さ位置に対応して筐体１０の底面側に位置している。
【０１１０】
この状態からさらに第一シフトカム７１が正面１０Ａ側に移動すると、クランプ昇降ピン２１Ｃが待機部７１４Ｂに移動する。これにより、台座部２１は、待機部７１４Ｂに対応する高さ位置で一旦昇降が停止され、光ディスク１のセンターホールとターンテーブル２３のディスク係合部２３Ａとの位置補正が実施される。
【０１１１】
さらに、第一シフトカム７１が正面１０Ａ側に移動すると、クランプ昇降ピン２１Ｃがクランプ部７１４Ｃに移動する。これにより、台座部２１が天面側に移動し、ターンテーブル２３と天面に設けられるクランプ部材との間に大径ディスク１Ａを挟みこみ、ディスク係合部２３Ａに大径ディスク１Ａのセンターホールを係合させ、クランプ動作が完了する。この後、クランプ昇降ピン２１Ｃが演奏状態部７１４Ｄに移動すると、図１８に示すように、台座部２１が情報処理部２４にて大径ディスク１Ａの情報を処理可能な高さ位置に移動する。
【０１１２】
また、このクランプ動作中において、カム制御ピン５５６は、１２ｃｍディスク用カム溝７１６Ｃを通る。これにより、リンクプレート５５がさらに左壁１０Ｂに移動し、イジェクトピン６１１が大径規制係合部５５３Ｂから大径離隔係合部５５３Ｄに移動される。すなわち、第一および第二ディスク当接部６１２，６２２が大径ディスク１Ａの周縁部から離れるように、第一および第二イジェクトアーム６１，６２が背面１０Ｄ側に回動する。
【０１１３】
さらに、このリンクプレート５５の移動により、ローディングアーム５１およびサブローディングアーム５３もそれぞれ右壁１０Ｃ近傍、左壁１０Ｂ近傍まで回動し、ローラ５１３および摺動溝５３１が大径ディスク１Ａの周縁から離隔する。
【０１１４】
この後、第一シフトカム７１がさらに正面１０Ａ側に移動すると、第三スイッチＳＷ３の可動片と第一シフトカム７１のスイッチ当接部７１１Ｄとが当接し、第三スイッチＳＷ３がオン状態となる。これにより、制御回路部は、大径ディスク１Ａのクランプが完了し、演奏可能状態となったことを認識し、駆動モータ４１を停止させる。
【０１１５】
そして、制御回路部は、ディスク処理部２０の情報処理部２４の駆動を制御し、大径ディスク１Ａの情報を処理、すなわち、大径ディスク１Ａへの情報を書込む書込処理や、大径ディスク１Ａに記録された情報を読み込む読込処理を実施する。
また、制御回路部は、ターンテーブル２３の回転トルクを検出することにより、挿入された光ディスク１が大径ディスク１Ａであることを認識する。
【０１１６】
（大径ディスクの搬出動作）
次に、大径ディスク１Ａの搬出動作について説明する。
ディスク装置１００の制御回路部は、例えば図示しないイジェクトボタンが押されるなどして、大径ディスク１Ａを搬出する旨の入力信号を認識すると、光ディスク１の情報処理動作を停止し、大径ディスク１Ａを筐体１０の外部に搬出させる動作を実施する。
【０１１７】
この搬出させる動作としては、制御回路部は、まず駆動部４０の駆動モータ４１を駆動させて、第一シフトカム７１を背面１０Ｄ側に移動させる。この第一シフトカム７１の背面１０Ｄ側への移動により、第三スイッチＳＷ３がオフ状態となる。
この時、第一伝達ギア４２１は、雄型ギア４２１Ａに設けられるギアピン４２１Ａ３が雌型ギア４２１Ｂのギアピン係合溝４２１Ｂ２内で時計回り方向に回動してギアピン係止部４２１Ｂ３に当接した状態となっている。駆動モータ４１が駆動すると、ギアピン４２１Ａ３はギアピン係合溝４２１Ｂ２に沿って反時計回り方向に移動する。そして、ギアピン４２１Ａ３がギアピン係止部４２１Ｂ３に当接するまで、第一伝達ギア４２１の雄型ギア４２１Ａは、雌型ギア４２１Ｂに対して空回りする。ギアピン４２１Ａ３がギアピン係止部４２１Ｂ３に当接すると、雌型ギア４２１Ｂは雄型ギア４２１Ａから駆動力が伝達される状態となり、駆動モータ４１の駆動力により回転駆動する。
さらに、第一シフトカム７１の背面１０Ｄ側への移動により、カム制御ピン５５６がカム溝７１６Ｃを移動し、リンクプレート５５が右壁１０Ｃ側に移動する。したがって、リンクプレート５５に連動してローディングアーム５１、サブローディングアーム５３、第一および第二イジェクトアーム６１，６２が回動し、光ディスク１がローラ５１３、摺動溝５３１、第一および第二ディスク当接部６１２，６２２により保持される。
【０１１８】
この状態で、さらに第一シフトカム７１が背面１０Ｄ側に移動すると、台座部２１が底面側に移動するため、図示しないイジェクトピンによりターンテーブル２３から大径ディスク１Ａが脱離する。
【０１１９】
この後、ローディングアーム５１のローラ５１３の駆動および第一および第二イジェクトアーム６１，６２の付勢力により、大径ディスク１Ａは正面１０Ａ側に搬出される。
そして、大径ディスク１Ａが図１４に示すように、モータ駆動開始状態と略同一位置まで搬出されると、リンクプレート５５のスイッチ片５５７が第一スイッチＳＷ１から離隔し、制御回路部は、駆動モータ４１の駆動を停止させる。この状態において、大径ディスク１Ａは、センターホールの背面１０Ｄ側端縁が挿排口１４から排出された状態となる。
【０１２０】
また、ローディングアーム５１およびサブローディングアーム５３の回動に連動して、サブアームスライドプレート５４１も背面１０Ｄ側に移動する。これにより、リバースピン５４１Ｇの背面１０Ｄ側がガイドアーム５６２の戻り当接部５６２Ｇに当接し背面１０Ｄ側に移動することによって、ガイドアーム５６２が時計回り方向に回動する。そして、ガイド連結軸５６２Ｂが右側位置状態となると、ガイドアーム５６２は時計回り方向に付勢力を受ける。
【０１２１】
そして、例えば手動により大径ディスク１Ａが引き抜かれると、サブアームスライドプレートが背面１０Ｄ側に付勢されているため、ローディングアーム５１も反時計回りに付勢されて回動する。そして、ローディングアーム５１は、ストッパ片５１１Ｃがカバー部材４３の段差部４３３に当接すると、回動が停止して、初期状態に戻る。また、ガイドアーム５６２も初期状態に戻る。
【０１２２】
（電力が供給されていない状態での大径ディスクの搬入動作）
次に、ディスク装置１００に電力が供給されていない状態で、大径ディスク１Ａが挿入された際の動作について説明する。
上記した通常時の大径ディスク１Ａの搬入動作と同様に、初期状態のディスク装置１００の挿排口１４から大径ディスク１Ａを挿入すると、この大径ディスク１Ａの周縁部がローディングアーム５１のローラ５１３およびサブローディングアーム５３の摺動溝５３１に当接する。
この状態でさらに大径ディスク１Ａを背面１０Ｄ側に挿入すると、ローディングアーム５１が右壁１０Ｃ側に回動する。ローディングアーム５１の回動により、リンクプレート５５が連動して左壁１０Ｂ側に移動する。サブローディングアーム５３もローディングアーム５１と同様に左壁１０Ｂ側に回動する。
【０１２３】
また、初期状態では、第一伝達ギア４２１は、雄型ギア４２１Ａに設けられるギアピン４２１Ａ３が雌型ギア４２１Ｂのギアピン係合溝４２１Ｂ２内で反時計回り方向に回動してギアピン係止部４２１Ｂ３に当接した状態となっている。
大径ディスク１Ａを挿入すると、図１４に示すようなモータ駆動開始状態まで、ローディングアーム５１は右壁１０Ｃ側に回動される。
【０１２４】
この時、スイッチ片５５７が第一スイッチＳＷ１の可動片を押し込むが、制御回路部に電力が供給されていないため、駆動モータ４１は駆動しない。したがって、カムシフトギア４２５が回転しないため、ロックアーム４２６も回動せず、ロックピン４２６Ｄは、ロック係合溝７１１Ｂのロック部７１１Ｂ２に係合されたままとなる。このため、第一シフトカム７１は前後方向の移動が規制されるロック状態となる。
また、第一伝達ギア４２１のギアピン４２１Ａ３がギアピン係合溝４２１Ｂ２内で反時計回り方向に回動してギアピン係止部４２１Ｂ３に当接した状態となっている。このため、駆動伝達ギア群４２の各ギアが噛み合って、ロックされた状態となり、すなわち、大径ディスク１Ａの搬入に抗する状態となる。
【０１２５】
この状態で、例えば手動により強制的に、大径ディスク１Ａを背面１０Ｄ側に挿入すると、図１６に示すようなカム押出開始状態まで挿入される。この状態からさらに大径ディスク１Ａを挿入すると、大径ディスク１Ａの搬入終端縁が挿排口１４に至るまで挿入されるが、カム押出ピン６１３でセレクトアーム７１３の第二押出壁部７１３Ｄを押しても、上記のように第一シフトカム７１はロック状態となっており、正面１０Ａ側に移動しない。
また、カム本体部７１１とスライドプレート７１２との間に設けられる付勢ばね７１５により、スライドプレート７１２が背面１０Ｄ側に付勢されているため、第一イジェクトアーム６１が時計回り方向に回動したとしても、カム押出ピン６１３が背面１０Ｄ側に押し返される。これにより、第一イジェクトアーム６１は反時計回り方向、すなわち大径ディスク１Ａを排出する方向に付勢力が働く。
【０１２６】
また、上記したように、ギアピン４２１Ａ３は、反時計回り方向に回動してギアピン係止部４２１Ｂ３に当接した状態となり、大径ディスク１Ａを搬出する方向に対して空回り可能な状態となっている。つまり、雌型ギア４２１Ｂが雄型ギア４２１Ａに対して反時計回り方向に空回り可能な状態となっている。これにより、第一イジェクトアーム６１の反時計回り方向への付勢力が小さい場合であっても、ローラ５１３が空回りし、大径ディスク１Ａを搬出方向に押し出すことが可能となる。
【０１２７】
（小径ディスクの搬入）
次に、ディスク装置１００に小径ディスク１Ｂを挿入した場合の搬入動作を説明する。
【０１２８】
図１に示すように、初期状態のディスク装置１００の挿排口１４から小径ディスク１Ｂを挿入すると、小径ディスク１Ｂのセンターホールの搬入方向における内周縁端部が挿排口１４上に略位置する状態で、この小径ディスク１Ｂの周縁部がローディングアーム５１のローラ５１３およびサブローディングアーム５３の摺動溝５３１に当接する。
この状態でさらに小径ディスク１Ｂを背面１０Ｄ側に挿入すると、ローディングアーム５１が右壁１０Ｃ側に回動する。ローディングアーム５１の回動により、リンクプレート５５が連動して左壁１０Ｂ側に移動する。サブローディングアーム５３もローディングアーム５１と同様に左壁１０Ｂ側に回動する。
【０１２９】
また、大径ディスク１Ａの搬入動作と同様に、初期状態では、第一伝達ギア４２１は、雄型ギア４２１Ａに設けられるギアピン４２１Ａ３が雌型ギア４２１Ｂのギアピン係合溝４２１Ｂ２内で反時計回り方向にした回動してギアピン係止部４２１Ｂ３に当接した状態となっている。したがって、雌型ギア４２１Ｂは雄型ギア４２１Ａのギアピン４２１Ａ３が時計回り方向に回動して他方のギアピン係止部４２１Ｂ３に当接した時に、雄型ギア４２１Ａから駆動力が伝達される状態となり、駆動モータ４１の駆動力により回転駆動する。
【０１３０】
また、ローディングアーム５１が僅かに回動すると、リンクプレート５５も左壁１０Ｂ側に移動し、これに伴ってスイッチ片５５８も左壁１０Ｂ側に移動し、第二スイッチＳＷ２の可動片が押し込まれ、第二スイッチＳＷ２がオン状態となる。この第二スイッチＳＷ２がオン状態になることにより、制御回路部は、光ディスク１が挿排口１４から挿入されたことを認識する。
この後、さらに小径ディスク１Ｂを挿入すると、ローディングアーム５１がさらに右壁１０Ｃ側に回動し、リンクプレート５５も左壁１０Ｂ側に移動する。そして、図１９に示すように、リンクプレート５５のスイッチ片５５７が第一スイッチＳＷ１の可動片を押し込み、第一スイッチＳＷ１がオン状態になると、制御回路部は、駆動モータ４１を駆動させる（モータ駆動開始状態）。これにより、駆動モータ４１の駆動力が駆動伝達ギア群４２からローディングアーム５１のローラ５１３に伝達し、ローラ５１３が小径ディスク１Ｂを搬入する方向、すなわち時計回り方向に回転駆動する。この時、小径ディスク１Ｂは、周縁部がローラ５１３に当接しているため、ローラ５１３の駆動力によりディスク装置１００の内部に引き込まれる。
また、このモータ駆動開始状態では、大径ディスク１Ａの搬入動作時と同様に、ローディングアーム５１は、アームピン５１１Ｄがローディングアーム付勢部１２Ａのアーム当接部１２Ｂに当接する状態まで回動される。
【０１３１】
この後、ローラ５１３の案内により小径ディスク１Ｂがさらにディスク装置１００内部に搬入されると、小径ディスク１Ｂの搬入方向先端縁がガイドアーム５６２のディスクガイド部５６２Ｃに当接する。具体的には、小径ディスク１Ｂの搬入先端縁がフランジ部５６２Ｅに当接し、ディスク受部５６２Ｄに案内され、ディスク受部５６２Ｄにて保持される。
この状態では、ガイドアーム５６２のガイド連結軸５６２Ｂが右側位置状態のため、ガイドアーム５６２は、時計回り方向の付勢力を受ける。
【０１３２】
そして、さらに小径ディスク１Ｂが背面１０Ｄ側に搬入されると、小径ディスク１Ｂの周縁が第一および第二イジェクトアーム６１，６２に当接する。この状態からさらに小径ディスク１Ｂがディスク装置１００内部に搬入されると、ローディングアーム５１の回動に連動してリンクプレート５５がさらに左壁１０Ｂ側に移動する。
このリンクプレート５５の移動によりセレクト片５５４も左壁１０Ｂ側に移動し、セレクトアーム７１３のアーム位置規制ピン７１３Ｂがセレクト片５５４に追従して左壁１０Ｂ側に移動する。この時、小径ディスク１Ｂの搬入時では、大径ディスク１Ａの搬入動作時に比べてローディングアーム５１の回動量も小さく、セレクトアーム７１３の回動量も小さくなる。このため、小径ディスク１Ｂの周縁部により押し出されて回動した第一イジェクトアーム６１のカム押出ピン６１３は、図２０に示すように、セレクトアーム７１３の第一押出壁部７１３Ｃに当接する（カム押出開始状態）。また、リンクプレート５５の移動により、カム制御ピン５５６がスライドプレート７１２のカム溝７１６内において、待機溝７１６Ａと８ｃｍディスク用カム溝７１６Ｂとの接続位置まで移動する。
【０１３３】
この後、さらに、第一イジェクトアーム６１の回動により、カム押出ピン６１３は、セレクトアーム７１３の第一押出壁部７１３Ｃを正面１０Ａ側に押し出す。
この時、駆動伝達ギア群４２のカムシフトギア４２５は、時計回り方向に回転駆動しているため、ロックアーム４２６も摩擦力により時計回り方向に付勢され、ロックピン４２６Ｄがロック係合溝７１１Ｂの長手係合部７１１Ｂ１に係合している状態、すなわちカムロック解除状態となっている。また、リンクプレート５５のカム制御ピン５５６が、８ｃｍディスク用カム溝７１６Ｂに移動可能な位置に位置している。
このため、第一シフトカム７１は、カム押出ピン６１３により押し出されると、正面１０Ａ側に移動する。
【０１３４】
そして、小径ディスク１Ｂがさらに背面１０Ｄ側に搬入されると、第一シフトカム７１は第一イジェクトアーム６１のカム押出ピン６１３によりさらに正面１０Ａ側に移動される。そして、小径ディスク１Ｂが完全にディスク装置１００の内部に搬入された状態、すなわち小径ディスク１Ｂの搬入終端縁部が挿排口１４よりも背面１０Ｄ側に搬入された状態で、第一シフトカム７１のラック７１１Ａがカムシフトギア４２５のピニオンギア４２５Ｂに係合される（カム駆動伝達状態）。
【０１３５】
この後、さらに小径ディスク１Ｂが背面１０Ｄ側に搬入され、小径ディスク１Ｂのセンターホールがターンテーブル２３の上方に移動すると、図２１に示すように、搬入完了状態となる。この状態では、イジェクトピン６１１が小径規制係合部５５３Ａに係合され、第一イジェクトアーム６１および第二イジェクトアーム６２の移動が規制される。この状態では、小径ディスク１Ｂは、ローディングアーム５１のローラ５１３、サブローディングアーム５３の摺動溝５３１、第一イジェクトアーム６１の第一ディスク当接部６１２、および第二イジェクトアーム６２の第二ディスク当接部６２２に保持されている。
この状態では、ガイドアーム５６２は、ディスクガイド部５６２Ｃが小径ディスク１Ｂの周縁部に押されて、左壁１０Ｂ側に回動し、ガイドアーム５６２のガイド連結軸５６２Ｂが、線分上位置状態となる。すなわち、ガイドアーム５６２は、時計回り方向または反時計回り方向の付勢力を受けない状態となる。
【０１３６】
そして、第一シフトカム７１が駆動モータ４１の駆動力によりさらに正面１０Ａ側に移動すると、クランプ動作が開始される。
クランプ動作は、第一シフトカム７１の移動により、台座部２１のクランプ昇降ピン２１Ｃが、第一シフトカム７１のクランプ昇降溝７１４内を移動することで実施される。具体的には、第一シフトカム７１の移動開始時から搬入完了状態までは、クランプ昇降ピン２１Ｃは、退避部７１４Ａに配置されており、台座部２１は退避部７１４Ａの高さ位置に対応して筐体１０の底面側に位置している。
【０１３７】
この状態からさらに第一シフトカム７１が正面１０Ａ側に移動すると、クランプ昇降ピン２１Ｃが待機部７１４Ｂに移動する。これにより、台座部２１は、待機部７１４Ｂに対応する高さ位置で一旦昇降が停止され、光ディスク１のセンターホールとターンテーブル２３のディスク係合部２３Ａとの位置補正が実施される。
【０１３８】
さらに、第一シフトカム７１が正面１０Ａ側に移動すると、クランプ昇降ピン２１Ｃがクランプ部７１４Ｃに移動する。これにより、台座部２１が天面側に移動し、ターンテーブル２３と天面に設けられるクランプ部材との間に小径ディスク１Ｂを挟みこみ、ディスク係合部２３Ａに小径ディスク１Ｂのセンターホールを係合させ、クランプ動作が完了する。この後、クランプ昇降ピン２１Ｃが演奏状態部７１４Ｄに移動すると、台座部２１が情報処理部２４にて小径ディスク１Ｂの情報を処理可能な高さ位置に移動する。
また、このクランプ動作中において、カム制御ピン５５６は、８ｃｍディスク用カム溝７１６Ｂを通って、左壁１０Ｂ側に移動する。これにより、リンクプレート５５がさらに左壁１０Ｂに移動し、イジェクトピン６１１が小径規制係合部５５３Ａから小径離隔係合部５５３Ｃに移動される。すなわち、第一および第二ディスク当接部６１２，６２２が小径ディスク１Ｂの周縁部から離れるように、第一および第二イジェクトアーム６１，６２が背面１０Ｄ側に回動する。
【０１３９】
さらに、このリンクプレート５５の移動により、ローディングアーム５１およびサブローディングアーム５３もそれぞれ右壁１０Ｃ近傍、左壁１０Ｂ近傍まで回動し、ローラ５１３および摺動溝５３１が小径ディスク１Ｂの周縁から離隔する。
【０１４０】
そして、第一シフトカム７１に連動して第二シフトカム７２も左壁１０Ｂ側に移動する。これにより、第二シフトカム７２のピン当接部７２１がガイドプレート５６１のガイド案内ピン５６１Ａを左壁１０Ｂ側に移動させる。これにより、ガイドアーム５６２のガイド連結軸５６２Ｂが左側位置状態になるため、ガイドアーム５６２は、反時計回り方向に付勢力を受ける。
【０１４１】
この後、第一シフトカム７１がさらに正面１０Ａ側に移動すると、第三スイッチＳＷ３の可動片と第一シフトカム７１のスイッチ当接部７１１Ｄとが当接してオン状態となる。これにより、制御回路部は、図２２に示すように、小径ディスク１Ｂのクランプが完了し、演奏可能状態となったことを認識し、駆動モータ４１を停止させる。
【０１４２】
そして、制御回路部は、ディスク処理部２０の情報処理部２４の駆動を制御し、小径ディスク１Ｂの情報を処理、すなわち、小径ディスク１Ｂへの情報を書込む書込処理や、小径ディスク１Ｂに記録された情報を読み込む読込処理を実施する。
また、制御回路部は、ターンテーブル２３の回転トルクを検出することにより、挿入された光ディスク１が小径ディスク１Ｂであることを認識する。
【０１４３】
（小径ディスクの搬出動作）
次に、小径ディスク１Ｂの搬出動作について説明する。
ディスク装置１００の制御回路部は、例えば図示しないイジェクトボタンが押されるなどして、小径ディスク１Ｂを搬出する旨の入力信号を認識すると、光ディスク１の情報処理動作を停止し、小径ディスク１Ｂを筐体１０の外部に搬出させる動作を実施する。
【０１４４】
この搬出させる動作としては、制御回路部は、まず駆動部４０の駆動モータ４１を駆動させて、第一シフトカム７１を背面１０Ｄ側に移動させる。この第一シフトカム７１の背面１０Ｄ側への移動により、第三スイッチＳＷ３がオフ状態となる。
この時、第一伝達ギア４２１は、雄型ギア４２１Ａに設けられるギアピン４２１Ａ３が雌型ギア４２１Ｂのギアピン係合溝４２１Ｂ２内で時計回り方向に回動してギアピン係止部４２１Ｂ３に当接した状態となっている。駆動モータ４１が駆動すると、ギアピン４２１Ａ３はギアピン係合溝４２１Ｂ２に沿って反時計回り方向に移動する。そして、ギアピン４２１Ａ３がギアピン係止部４２１Ｂ３に当接するまで、第一伝達ギア４２１の雄型ギア４２１Ａは、雌型ギア４１Ｂに対して空回りする。ギアピン４２１Ａ３がギアピン係止部４２１Ｂ３に当接すると、雌型ギア４２１Ｂは雄型ギア４２１Ａから駆動力が伝達される状態となり、駆動モータ４１の駆動力により回転駆動する。
さらに、第一シフトカム７１の背面１０Ｄ側への移動により、カム制御ピン５５６がカム溝７１６Ｂを移動し、リンクプレート５５が右壁１０Ｃ側に移動する。したがって、リンクプレート５５に連動してローディングアーム５１、サブローディングアーム５３、第一および第二イジェクトアーム６１，６２が回動し、小径ディスク１Ｂがローラ５１３、摺動溝５３１、第一および第二ディスク当接部６１２，６２２により保持される。
【０１４５】
この状態で、さらに第一シフトカム７１が背面１０Ｄ側に移動すると、台座部２１が底面側に移動するため、図示しないイジェクトピンによりターンテーブル２３から小径ディスク１Ｂが脱離する。
【０１４６】
この後、ローディングアーム５１のローラ５１３の駆動および第一および第二イジェクトアーム６１，６２の付勢力により、小径ディスク１Ｂは正面１０Ａ側に搬出される。
そして、小径ディスク１Ｂが図１９に示すように、モータ駆動開始状態と略同一位置まで搬出されると、リンクプレート５５のスイッチ片５５７が第一スイッチＳＷ１から離隔する。この状態から、さらに小径ディスク１Ｂを排出すると、リンクプレート５５がさらに右壁１０Ｃ側に移動するため、スイッチ片５５８が第二スイッチＳＷ２から離隔し、オフ状態となる。
【０１４７】
そして、制御回路部は、この第二スイッチＳＷ２がオフ状態となったことを検出すると、小径ディスク１Ｂが排出されたことを認識するとともに、所定時間の間、駆動モータ４１を駆動させる、いわゆるディレイ駆動を実施する。このディレイ駆動により小径ディスク１Ｂはさらに正面１０Ａ側に排出される。この時、サブアームスライドプレート５４１が背面１０Ｄ側に付勢されているため、ローディングアーム５１は、ローラ５１３が小径ディスク１Ｂの周縁に当接した状態で小径ディスク１Ｂに追従して回動する。そして、ローディングアーム５１のストッパ片５１１Ｃがカバー部材４３の段差部４３３に当接すると、ローディングアーム５１の移動が規制される。この状態において、小径ディスク１Ｂは、センターホールの背面１０Ｄ側端縁が挿排口１４から排出された状態となる。
【０１４８】
また、ローディングアーム５１およびサブローディングアーム５３の回動に連動して、サブアームスライドプレート５４１も背面１０Ｄ側に移動する。これにより、リバースピン５４１Ｇの背面１０Ｄ側がガイドアーム５６２の戻り当接部５６２Ｇに当接し背面１０Ｄ側に移動することによって、ガイドアーム５６２のガイド連結軸５６２Ｂが右側位置状態となる。これにより、ガイドアーム５６２は、時計回り方向に付勢力を受け、初期状態まで回動する。
【０１４９】
（電力が供給されていない状態での小径ディスクの搬入動作）
次に、ディスク装置１００に電力が供給されていない状態で、小径ディスク１Ｂが挿入された際の動作について説明する。
上記した通常時の小径ディスク１Ｂの搬入動作と同様に、初期状態のディスク装置１００の挿排口１４から小径ディスク１Ｂを挿入すると、この小径ディスク１Ｂの周縁部がローディングアーム５１のローラ５１３およびサブローディングアーム５３の摺動溝５３１に当接する。
この状態でさらに小径ディスク１Ｂを背面１０Ｄ側に挿入すると、ローディングアーム５１が右壁１０Ｃ側に回動する。ローディングアーム５１の回動により、リンクプレート５５が連動して左壁１０Ｂ側に移動する。サブローディングアーム５３もローディングアーム５１と同様に、左壁１０Ｂ側に回動する。
【０１５０】
また、初期状態では、第一伝達ギア４２１は、雄型ギア４２１Ａに設けられるギアピン４２１Ａ３が雌型ギア４２１Ｂのギアピン係合溝４２１Ｂ２内で反時計回り方向に回動してギアピン係止部４２１Ｂ３に当接した状態となっている。
小径ディスク１Ｂを挿入すると、図１９に示すようなモータ駆動開始状態まで、ローディングアーム５１は右壁１０Ｃ側に回動される。
また、第一伝達ギア４２１のギアピン４２１Ａ３がギアピン係合溝４２１Ｂ２内で反時計回り方向に回動してギアピン係止部４２１Ｂ３に当接した状態となっている。このため、駆動伝達ギア群４２の各ギアが噛み合って、ロックされた状態となり、すなわち、小径ディスク１Ｂの搬入に抗する状態となる。
【０１５１】
この状態からさらに小径ディスク１Ｂが挿入されると、小径ディスク１Ｂの搬入方向先端縁がガイドアーム５６２のディスクガイド部５６２Ｃに当接する。
ここで、ガイド機構５６のばね掛けピン５６１Ｂ、ガイド連結軸５６２Ｂ、およびガイド回動軸５６２Ａは、小径ディスク１Ｂがターンテーブル２３の上方に位置する搬送完了状態の位置まで搬送された状態で同一直線上に並列される。したがって、小径ディスク１Ｂの搬入方向終端縁が挿排口１４からディスク装置１００の内部に入った状態では、ガイド連結軸５６２Ｂは、右側位置状態の位置に位置する。すなわち、ガイドアーム５６２は、時計回り方向に付勢される。
【０１５２】
また、上記したように、ギアピン４２１Ａ３は、反時計回り方向に回動してギアピン係止部４２１Ｂ３に当接した状態となり、小径ディスク１Ｂを搬出する方向に対して空回り可能な状態となっている。つまり、雌型ギア４２１Ｂが雄型ギア４２１Ａに対して反時計回り方向に空回り可能な状態となっている。これにより、ガイドアーム５６２の時計回り方向への付勢力が小さい場合でも、ローラ５１３が空回りして小径ディスク１Ｂを搬出方向に押し出すことが可能になる。
【０１５３】
〔ディスク装置の作用効果〕
上述したように、上記実施の形態のディスク装置１００は、駆動モータ４１と、光ディスク１を搬送するローラ５１３と、光ディスク１を保持するターンテーブル２３を備えたディスク処理部２０と、このディスク処理部２０を光ディスク１に対して進退させる第一シフトカム７１と、駆動モータ４１の駆動力をローラ５１３および第一シフトカム７１への伝達状態を切り替える駆動伝達ギア群４２と、を備えている。そして、駆動伝達ギア群４２は、ローラ５１３により光ディスク１の搬入終端縁が挿排口１４よりも背面１０Ｄ側に搬入された状態で、第一シフトカム７１に駆動モータ４１からの駆動力が駆動伝達ギア群４２を介して伝達され、ディスク処理部２０が光ディスク１に対して進退する。
このため、光ディスク１の搬入方向終端の一部が挿排口１４から筐体１０の外部に飛び出ている状態では、第一シフトカム７１に駆動力が伝達されない。したがって、例えば、搬送途中の光ディスク１の搬入方向終端側を手で押えるなどして搬入を停止させた場合、第一シフトカム７１が正面１０Ａ側に移動されないので、ディスク処理部２０のターンテーブル２３も天面側に移動しない。よって、例えば搬入途中の光ディスク１を引き抜くなどの誤動作やいたずら動作があった場合でも、ターンテーブル２３と光ディスク１との接触を防止でき、確実に光ディスク１を筐体１０内に搬入することができる。
【０１５４】
そして、第一シフトカム７１には左壁１０Ｂ側端面にラック７１１Ａが設けられ、駆動伝達ギア群４２はこのラック７１１Ａに係合可能なカムシフトギア４２５を備えている。そして、初期状態では、これらのラック７１１Ａおよびカムシフトギア４２５のピニオンギア４２５Ｂの間には、所定寸法のクリアランスが設けられており、光ディスク１の搬入により第一シフトカム７１が正面１０Ａ側に移動して、光ディスク１の搬入終端縁が挿排口１４より背面１０Ｄ側に搬入されてカム駆動伝達状態となると、ラック７１１Ａがカムシフトギア４２５のピニオンギア４２５Ｂに係合する。
このため、カム駆動伝達状態となる前では、第一シフトカム７１のラック７１１Ａがカムシフトギア４２５から離れた状態であるため、駆動モータ４１の駆動力が伝達されない。したがって、光ディスク１の搬入終端縁が挿排口１４から露出した状態では、第一シフトカム７１によりディスク処理部２０が揺動することがないため、確実にディスク処理部２０と光ディスク１との接触を確実に防止できる。一方、光ディスク１が完全に筐体１０内に搬入されて外部から光ディスク１に触れることが不可能な状態となると、ラック７１１Ａおよびカムシフトギア４２５のピニオンギア４２５Ｂが係合して、確実に光ディスク１をディスク処理部２０のターンテーブル２３にて保持することができる。
【０１５５】
また、第一シフトカム７１は、光ディスク１の周縁を保持して回動する第一イジェクトアーム６１のカム押出ピン６１３により押し出されて正面１０Ａ側に移動する。すなわち、光ディスク１の搬入状態により第一イジェクトアーム６１の回動量が変化し、所定量以上第一イジェクトアーム６１が回動すると、カム押出ピン６１３が第一シフトカム７１を正面１０Ａ側に押し出す。
このため、第一イジェクトアーム６１により容易に第一シフトカム７１を光ディスク１の搬入状態に応じた位置に移動させることができる。したがって、簡単な構成で上述のように、第一シフトカム７１を移動させて光ディスク１の搬入方向終端縁が挿排口１４より背面１０Ｄ側に移動した状態で、ラック７１１Ａとカムシフトギア４２５のピニオンギア４２５Ｂとが係合する駆動制御を実施することができる。
【０１５６】
さらに、カムシフトギア４２５に連動するロックアーム４２６および第一シフトカム７１のロック係合部７１１Ｂにより、駆動モータ４１が停止している状態において第一シフトカム７１の移動が規制されるロック状態となる。そして、第一シフトカム７１の背面１０Ｄ側には、付勢ばね７１５により背面１０Ｄ側に付勢されるスライドプレート７１２が設けられ、このスライドプレート７１２に設けられたセレクトアーム７１３に第一イジェクトアーム６１のカム押出ピン６１３が当接可能に設けられている。
このため、ディスク装置１００に電力が供給されない状態では、第一シフトカム７１は最も背面１０Ｄに移動した状態でロックされるため、第一シフトカム７１が正面１０Ａ側に移動しない。この状態で大径ディスク１Ａが挿入されると、付勢ばね７１５の付勢力により第一イジェクトアーム６１が大径ディスク１Ａを排出する排出方向に付勢することができる。したがって、ディスク装置１００に電力が供給されていない状態において、大径ディスク１Ａをつまみ出せる程度まで排出させることができる。
【０１５７】
また、挿排口１４の近傍に設けられるローディングアーム５１の先端部にローラ５１３が設けられ、このローラ５１３を光ディスク１の搬送方向に回転させることで、光ディスク１を搬送している。
このため、駆動伝達ギア群４２により、ローディングアーム５１のローラ５１３および第一シフトカム７１の双方に駆動モータ４１の駆動力に伝達させることができる。すなわち、ローラ５１３および第一シフトカム７１を駆動させるための駆動源をそれぞれ設ける必要がなく、１つの駆動モータ４１のみで双方の動きを連動させて駆動させることができる。したがって、ディスク装置１００の構成を簡単にでき、光ディスク１の搬送動作も容易に制御することができる。
〔実施形態の変形〕
なお、本発明は、上述した一実施の形態に限定されるものではなく、本発明の目的を達成できる範囲で以下に示される変形をも含むものである。
【０１５８】
すなわち、上記実施の形態では、ディスク装置１００は、ノート型パーソナルコンピュータなどに搭載可能な薄型ディスク装置を例示したが、これに限定されず、例えばデスクトップ型パーソナルコンピュータなどに搭載される比較的大型のディスク装置にも適用することができる。
【０１５９】
また、第一イジェクトアーム６１の回動により、光ディスク１の搬送状態に応じた位置に第一シフトカム７１を移動させる構成を示したが、例えばローディングアーム５１などの他のアームと第一シフトカム７１を連動させて光ディスク１の搬送状態に応じた位置に第一シフトカム７１を移動させる構成などとしてもよい。
【０１６０】
また、ロック機構として、カムシフトギア４２５に設けられるグリップ面４２５Ｃの摩擦力によりロックアーム４２６を回動させる例を示したが、これに限定されない。例えば、磁力によりカムシフトギア４２５の底面側に磁石を設け、金属製のロックアーム４２６を磁力により移動方向に回動させる構成としてもよい。また、グリップ面としてフェルトを貼付する構成を示したが、たとえば、ゴム部材などを貼付する構成としてもよく、グリップ面の面形状を凹凸上にするなどして摩擦力を増大させる構成などとしてもよい。
【０１６１】
さらに、ロックアーム４２６がカムシフトギア４２５に連動して回動する構成を示したが、例えばシフト駆動分岐ギア４２２などの駆動伝達ギア群４２の他のギアに連動して回動する構成としてもよい。このような構成でも上記実施の形態と同様の動作を実施することができる。
【０１６２】
さらには、ロックピン４２６Ｄが第一シフトカム７１に設けられるロック係合溝７１１Ｂに係合する例を示したが、これに限らない。例えば、ロックピン４２６Ｄが第一シフトカム７１の移動系路上に進退して第一シフトカム７１の移動を規制する構成としてもよい。
また、ロック機構として、ロックアーム４５６およびロックアーム４５６のロックピン４５６Ｄに係合するロック係合溝７１１Ｂの構成に限られない。例えば、第一シフトカム７１１の進退系路上に突出するピンを有するソレノイドであってもよい。この場合、例えばディスク装置１００に電力を供給すると、ソレノイドのピンが左壁１０Ｂ側に移動して第一シフトカム７１１の移動規制を解除し、ディスク装置１００に電力が供給されない状態では、ソレノイドのピンが右壁１０Ｃ側の第一シフトカム７１１の移動系路上に移動し、第一シフトカム７１１の移動を規制する構成としてもよい。その他、ディスク装置１００に電力が供給されない状態と、電力により第一シフトカム７１１が移動可能な状態となった場合とで、第一シフトカム７１１の移動を制御するいかなる構成を用いてもよい。
【０１６３】
そして、上記実施の形態のディスク装置１００では、第一シフトカム７１を移動させてラック７１１Ａとカムシフトギア４２５のピニオンギア４２５Ｂとを係合する構成を示したが、これに限らない。例えば、初期状態においてカムシフトギア４２５がラック７１１Ａの底面側に、上下方向に移動可能に設けられ、光ディスク１の搬入終端縁が挿排口１４より背面１０Ｄ側に搬入された状態でカムシフトギア４２５が天面側に移動し、ラック７１１Ａに係合する構成などとしてもよい。
【０１６４】
その他、本発明の実施の際の具体的な構造および手順は、本発明の目的を達成できる範囲で他の構造などに適宜変更できる。
【０１６５】
〔実施の形態の効果〕
上記実施の形態のディスク装置１００は、駆動モータ４１と、光ディスク１を搬送するローラ５１３と、光ディスク１を保持するターンテーブル２３を備えたディスク処理部２０と、このディスク処理部２０を光ディスク１に対して進退させる第一シフトカム７１と、駆動モータ４１の駆動力をローラ５１３および第一シフトカム７１への伝達状態を切り替える駆動伝達ギア群４２と、を備えている。そして、駆動伝達ギア群４２は、ローラ５１３により光ディスク１の搬入終端縁が挿排口１４よりも背面１０Ｄ側に搬入された状態で、第一シフトカム７１に駆動モータ４１からの駆動力が駆動伝達ギア群４２を介して伝達され、ディスク処理部２０が光ディスク１に対して進退する。
このため、光ディスク１の搬入方向終端の一部が挿排口１４から筐体１０の外部に飛び出ている状態では、第一シフトカム７１に駆動力が伝達されない。したがって、例えばこの光ディスク１の搬送方向終端縁を手で押えるなどして搬入を停止させた場合、第一シフトカム７１は正面１０Ａ側に移動せず、ディスク処理部２０のターンテーブル２３も天面側に移動しない。よって、例えば搬入途中の光ディスク１を引き抜くなどの誤動作やいたずら動作があった場合でも、ターンテーブル２３と光ディスク１との接触を防止でき、確実に光ディスク１を筐体内に搬入することができる。
【図面の簡単な説明】
【０１６６】
【図１】本発明に係るディスク装置の初期状態における内部構成を示す平面図である。
【図２】前記実施形態におけるディスク装置の搬入部および搬出部の構成を示す平面図である。
【図３】前記実施形態におけるディスク装置の駆動部、搬出部およびクランプ部の構成を示す平面図である。
【図４】前記実施形態における駆動部４０の近傍を示す平面図である。
【図５】前記実施形態における駆動部４０近傍のカバー部材を取り外した状態の平面図である。
【図６】前記実施形態における駆動部を構成する第一伝達ギアの構成を示す斜視図である。
【図７】前記実施形態におけるロック機構を示す側断面図である。
【図８】前記実施形態におけるガイド機構に係る付勢力を示す図である。
【図９】図８の状態からさらにガイドアームを反時計回り方向に回動させた状態におけるガイド機構に係る付勢力を示す図である。
【図１０】図９の状態からさらにガイドアームを反時計回り方向に回動させた状態におけるガイド機構に係る付勢力を示す図である。
【図１１】図１０の状態からさらにガイドアームを反時計回り方向に回動させた状態におけるガイド機構に係る付勢力を示す図である。
【図１２】前記実施形態におけるディスク装置のクランプ部を構成する第一シフトカムの背面側の平面図である。
【図１３】前記実施形態における前記第一シフトカムを左壁側からみた側面図である。
【図１４】前記実施形態における大径ディスクのモータ駆動開始状態におけるディスク装置の内部を示す平面図である。
【図１５】前記実施形態における大径ディスクの搬入途中におけるディスク装置の内部を示す平面図である。
【図１６】前記実施形態における大径ディスクのカム押出開始状態におけるディスク装置の内部を示す平面図である。
【図１７】前記実施形態における大径ディスクの搬入完了におけるディスク装置の内部を示す平面図である。
【図１８】前記実施形態における大径ディスクの演奏可能状態時におけるディスク装置の内部を示す平面図である。
【図１９】前記実施形態における小径ディスクのモータ駆動開始状態におけるディスク装置の内部を示す平面図である。
【図２０】前記実施形態における小径ディスクのカム押出開始状態におけるディスク装置の内部を示す平面図である。
【図２１】前記実施形態における小径ディスクの搬入完了状態におけるディスク装置の内部を示す平面図である。
【図２２】前記実施形態における小径ディスクの演奏可能状態時におけるディスク装置の内部を示す平面図である。
【符号の説明】
【０１６７】
１      …記録媒体としての光ディスク
１Ａ    …記録媒体としての大径ディスク
１Ｂ    …記録媒体としての小径ディスク
１０    …筐体
１４    …挿排口
２０    …保持手段としてのディスク処理部
２４    …情報処理部
３０    …ディスク搬送装置としての搬送部
４１    …駆動手段としての駆動モータ
４２    …駆動伝達切替手段としての駆動伝達ギア群
６１    …アーム部材を構成するイジェクトアームとしての第一イジェクトアーム
７１    …カム部材としての第一シフトカム
１００  …ディスク装置
５１３  …搬送手段としてのローラ
４２５  …ロック機構の一部を構成するカム駆動伝達ギアとしてのカムシフトギア
４２６  …ロック機構の一部を構成するロックアーム
７１１Ｂ…ロック機構の一部を構成するロック係合溝
７１５  …付勢手段としての付勢ばね
【図１】
2008140511.tif 000003
【図２】
2008140511.tif 000004
【図３】
2008140511.tif 000005
【図４】
2008140511.tif 000006
【図５】
2008140511.tif 000007
【図６】
2008140511.tif 000008
【図７】
2008140511.tif 000009
【図８】
2008140511.tif 000010
【図９】
2008140511.tif 000011
【図１０】
2008140511.tif 000012
【図１１】
2008140511.tif 000013
【図１２】
2008140511.tif 000014
【図１３】
2008140511.tif 000015
【図１４】
2008140511.tif 000016
【図１５】
2008140511.tif 000017
【図１６】
2008140511.tif 000018
【図１７】
2008140511.tif 000019
【図１８】
2008140511.tif 000020
【図１９】
2008140511.tif 000021
【図２０】
2008140511.tif 000022
【図２１】
2008140511.tif 000023
【図２２】
2008140511.tif 000024